(57)【要約】  本発明は、少なくとも１つのディスペンサーユニットを含む、容器内に飲料を計量分配するためのシステムを提供する。ディスペンサーユニットは、少なくとも１つの流体ポート、及び容器の少なくとも一部分とディスペンサーヘッドとの間に封止障壁を形成するように構成されている可動封止部材を含む。【選択図】図１
2021515732.tif 000002
【特許請求の範囲】
【請求項１】
容器内に飲料を計量分配するためのシステムにおいて、前記システムは：
少なくとも１つのディスペンサーユニット
を含み、前記ディスペンサーユニットは、
ディスペンサーヘッドであって：
少なくとも１つの流体ポートと；
前記容器の少なくとも一部分と前記ディスペンサーヘッドとの間に封止障壁を形成するように構成されている可動封止部材と
を含む、ディスペンサーヘッド
を含むことを特徴とする、システム。
【請求項２】
請求項１に記載のシステムにおいて、前記少なくとも１つの流体ポートは、飲料出口及び／又は圧力ポートであることを特徴とする、システム。
【請求項３】
請求項１又は２に記載のシステムにおいて、前記容器に接触する、それを保持する、位置決めする、及び／又は支持するように構成された少なくとも１つの支持部材を含むことを特徴とする、システム。
【請求項４】
請求項１又は２に記載のシステムにおいて、少なくとも１つの支持部材は、前記容器の口、リップ及び／又はリムにおいて、前記容器に接触する、それを保持する、位置決めする、及び／又は支持するように構成されていることを特徴とする、システム。
【請求項５】
請求項２に記載のシステムにおいて、少なくとも１つの支持部材は、前記容器の前記ベース又は側面において、前記容器に接触する、それを保持する、位置決めする、及び／又は支持するように構成されていることを特徴とする、システム。
【請求項６】
請求項３乃至５のいずれか１項に記載のシステムにおいて、前記少なくとも１つの支持体は、前記容器を前記可動封止部材と面一に位置決め及び／又は整列させて、効果的なシールを保証するように構成されていることを特徴とする、システム。
【請求項７】
請求項３乃至６のいずれか１項に記載のシステムにおいて、前記少なくとも１つの支持部材は、前記容器が前記ディスペンサーユニット内に装入又は位置決めされると、前記容器の前記口、リップ及び／又はリムの内面、外面及び／又は上面を、前記支持部材に載置できるような形状及び／又は寸法にされていることを特徴とする、システム。
【請求項８】
請求項１乃至７のいずれか１項に記載のシステムにおいて、前記可動封止部材は、前記封止部材が前記容器から離間される第１の状態と、前記封止部材が前記容器の少なくとも一部分と接触して封止障壁を形成する第２の状態との間で可動であるように構成されていることを特徴とする、システム。
【請求項９】
請求項１乃至８のいずれか１項に記載のシステムにおいて、前記容器の前記少なくとも一部分は、前記容器の前記口、リップ及び／又はリムであることを特徴とする、システム。
【請求項１０】
請求項１乃至９のいずれか１項に記載のシステムにおいて、前記封止部材は、前記容器の前記口、リップ及び／又はリムの内面、外面又は上面に接触する、それを把持する及び／又はクランプするように構成されていることを特徴とする、システム。
【請求項１１】
請求項１乃至１０のいずれか１項に記載のシステムにおいて、前記封止部材は、シリコーン、ゴム、プラスチック又は樹脂からなる群から選択される材料から作製される封止要素を含むことを特徴とする、システム。
【請求項１２】
請求項１乃至１１のいずれか１項に記載のシステムにおいて、前記封止部材は、実質的に垂直方向に動くように構成されていることを特徴とする、システム。
【請求項１３】
請求項１乃至１２のいずれか１項に記載のシステムにおいて、前記飲料を計量分配している最中、前記ユーザから前記容器を隔離するように構成されたスクリーン、ドア及び／又は跳ねよけを含むことを特徴とする、システム。
【請求項１４】
請求項１乃至１３のいずれか１項に記載のシステムにおいて、前記容器は、飲用容器、ボトル、マグ、カップ、ジョッキ、グラス、ビーカー、タンブラー及び／又はタンカードを含む群から選択されることを特徴とする、システム。
【請求項１５】
請求項１乃至１４のいずれか１項に記載のシステムにおいて、前記容器は、硬質若しくは軟質プラスチック、ガラス、セラミック、厚紙、紙、蝋紙及び／又は発泡体を含む材料の範囲から作製されることを特徴とする、システム。
【請求項１６】
請求項１乃至１５のいずれか１項に記載のシステムにおいて、前記飲料は、５秒未満で前記容器内に計量分配されることを特徴とする、システム。
【請求項１７】
請求項１乃至１６のいずれか１項に記載のシステムにおいて、飲料には炭酸ガスが入れられている及び／又は発泡性飲料であることを特徴とする、システム。
【請求項１８】
請求項１乃至１７のいずれか１項に記載のシステムにおいて、飲料はアルコール又はノンアルコールであることを特徴とする、システム。
【請求項１９】
請求項１乃至１８のいずれか１項に記載のシステムにおいて、前記少なくとも１つの圧力ポートは、少なくとも１つの圧力源に接続されることを特徴とする、システム。
【請求項２０】
請求項１９に記載のシステムにおいて、前記少なくとも１つの圧力源は：不活性ガス、空気、二酸化炭素及び／又はガス混合物からなる群から選択されるガス供給部であることを特徴とする、システム。
【請求項２１】
請求項１乃至２０のいずれか１項に記載のシステムにおいて、前記圧力ポートは、前記容器の前記内部と外部との間に圧力差を生じるように構成されていることを特徴とする、システム。
【請求項２２】
請求項１乃至２１のいずれか１項に記載のシステムにおいて、前記飲料を前記計量分配している間、前記封止部材は、前記容器の前記内部と外部との間の圧力差を維持して、前記飲料の酸化又は汚染を防止するように構成されていることを特徴とする、システム。
【請求項２３】
請求項１乃至２２のいずれか１項に記載のシステムにおいて、前記飲料出口は、ディップチューブに接続されていることを特徴とする、システム。
【請求項２４】
請求項１乃至２３のいずれか１項に記載のシステムにおいて、前記飲料出口はノズルに接続されていることを特徴とする、システム。
【請求項２５】
請求項１乃至２４のいずれか１項に記載のシステムにおいて、前記封止部材及び／又はディスペンサーヘッドは、前記少なくとも１つの支持部材に対して可動であることを特徴とする、システム。
【請求項２６】
請求項１乃至２５のいずれか１項に記載のシステムにおいて、複数の支持部材を含むことを特徴とする、システム。
【請求項２７】
請求項１乃至２６のいずれか１項に記載のシステムにおいて、前記第１の支持部材は、前記容器の前記口、リップ及び／又はリムにおいて前記容器に接触する及び／又はそれを保持するように構成され、及び第２の支持部材は、前記容器の側面及び／又はベースに接触する及び／又はそれを保持するように構成されていることを特徴とする、システム。
【請求項２８】
請求項１乃至２７のいずれか１項に記載のシステムにおいて、弁が、前記少なくとも１つの流体ポートに接続され、且つ前記流体ポートが圧力ポートである第１の弁状態と、前記流体ポートが飲料出口である第２の弁状態との間で動作するように構成されていることを特徴とする、システム。
【請求項２９】
請求項１乃至２８のいずれか１項に記載のシステムにおいて、前記ベース支持部材は、前記ディスペンサーに取り外し自在に取り付け可能であることを特徴とする、システム。
【請求項３０】
請求項１乃至２９のいずれか１項に記載のシステムにおいて、前記ディスペンサー内で容器の高さ及び／又は位置を調整するために設けられる、異なる寸法及び／又は形状の複数のベース支持部材を含むことを特徴とする、システム。
【請求項３１】
請求項２９又は３０に記載のシステムにおいて、前記ベース支持部材は、透明、半透明又は半不透明な材料で形成されていることを特徴とする、システム。
【請求項３２】
請求項１乃至３１のいずれか１項に記載のシステムにおいて、前記少なくとも１つの圧力ポートを通した前記容器の加圧、及び逆圧下での飲料の前記計量分配を制御するように構成された制御装置を含むことを特徴とする、システム。
【請求項３３】
請求項１乃至３２のいずれか１項に記載のシステムにおいて、飲料ディスペンサーの性能を監視して、流量、ポンプ作用での送給量、流れ／ポンプ作用時間、容器閾値逆圧、及び温度などの冷却パラメータからなる群から選択される計量分配パラメータの、「リアルタイム」の調整を可能にするためのセンサーを含むことを特徴とする、システム。
【請求項３４】
請求項１乃至３３のいずれか１項に記載のシステムにおいて、前記制御装置は、安全ロックを作動させて、計量分配している最中、前記容器へのアクセス及び／又は前記容器の解放を防止するようにプログラムされていることを特徴とする、システム。
【請求項３５】
容器内に飲料を計量分配するためのシステムにおいて、前記システムは：
複数のディスペンサーユニットを含む支持フレーム
を含み；
各ディスペンサーユニットは、
飲料出口及び少なくとも１つの圧力ポートを含むディスペンサーヘッド；及び
前記容器の少なくとも一部分と前記ディスペンサーヘッドとの間に封止障壁を形成するように構成されている可動封止部材
を含むことを特徴とする、システム。
【請求項３６】
容器内に飲料を計量分配するための方法において、前記方法は：
飲料ディスペンサーシステムを提供するステップであって、前記飲料ディスペンサーシステムは、
少なくとも１つのディスペンサーユニット
を含み、前記少なくとも１つのディスペンサーユニットは、
ディスペンサーヘッドであって：
少なくとも１つの流体ポートと；
封止部材と
を含む、ディスペンサーヘッド
を含む、ステップ；
前記封止部材を動かして、前記容器の少なくとも一部分と接触させ、前記ディスペンサーヘッドと前記容器との間に封止障壁を形成するようにするステップ；
加圧流体によって前記容器の内部体積部を加圧するステップ、及び
前記少なくとも１つの流体ポートを通して、前記容器の前記内部体積部に前記飲料をポンプ作用で注ぐステップ
を含むことを特徴とする、方法。
【請求項３７】
請求項３６に記載の方法において、前記ディスペンサーヘッドと前記容器との間に封止障壁が形成されると、前記容器の内外体積部間に差圧を形成することを含むことを特徴とする、方法。
【請求項３８】
請求項３６又は３７に記載の方法において、前記飲料を前記容器内にポンプ作用で注ぐ前に、前記容器内の圧力を大気圧よりも高くすることを含むことを特徴とする、方法。
【請求項３９】
請求項３６乃至３８のいずれか１項に記載の方法において、逆圧下で前記飲料を計量分配することを含むことを特徴とする、方法。
【請求項４０】
請求項３６乃至３９のいずれか１項に記載の方法において、前記飲料を前記容器にポンプ作用で注いでいる間、又は前記飲料が前記容器内にポンプ作用で注がれた後、前記容器の前記内部体積部から加圧流体を排出させる又は除去することを含むことを特徴とする、方法。
【請求項４１】
請求項３６乃至４０のいずれか１項に記載の方法において、前記容器の前記少なくとも一部分は、前記容器の口、リップ及び／又はリムであることを特徴とする、方法。
【請求項４２】
請求項３６乃至４１のいずれか１項に記載の方法において、前記封止部材が前記容器の少なくとも一部分上に下げられることを特徴とする、方法。
【請求項４３】
請求項３６乃至４２のいずれか１項に記載の方法において、前記封止部材は、前記容器の前記口、リップ及び／又はリムの内面、外面又は上面に接触、把持及び／又はクランプすることを特徴とする、方法。
【請求項４４】
請求項３６乃至４３のいずれか１項に記載の方法において、前記シールが形成されている間中、前記容器を静止して保持し、前記容器を加圧する及び／又は前記飲料をポンプ作用で注ぐことを含むことを特徴とする、方法。
【請求項４５】
請求項３６乃至４４のいずれか１項に記載の方法において、前記飲料を前記容器内にポンプ作用で注いでいる間又は注いだ後、前記容器の内部圧力を大気圧まで減圧させることを含むことを特徴とする、方法。
【請求項４６】
請求項３６乃至４５のいずれか１項に記載の方法において、前記飲料を前記容器内にポンプ作用で注いだ後、前記封止部材を前記容器の前記リム、上縁又は内縁から離れるように動かし、前記ディスペンサーヘッドと前記容器との間の前記封止障壁を壊すことを含むことを特徴とする、方法。
【請求項４７】
請求項３６乃至４６のいずれか１項に記載の方法において、前記飲料を５秒未満で前記容器内に計量分配することを含むことを特徴とする、方法。
【請求項４８】
請求項３６乃至４７のいずれか１項に記載の方法において、前記容器の前記口、リップ、リム、側面及び／又はベースにおいて前記容器を支持することを含むことを特徴とする、方法。
【請求項４９】
請求項３６乃至４８のいずれか１項に記載の方法において、前記ディスペンサーヘッドを、前記封止部材を前記容器のリム、上縁又は内縁に接触させるように動かして、前記ディスペンサーヘッドと前記容器との間に封止障壁を形成することを含むことを特徴とする、方法。
【請求項５０】
炭酸又は発泡性飲料を複数の容器内へ計量分配する方法において、前記方法は：
飲料ディスペンサーシステムを提供するステップであって、前記飲料ディスペンサーシステムは、
複数のディスペンサーユニット
を含み、各ディスペンサーユニットは、
ディスペンサーヘッドであって、
少なくとも１つの流体ポート；及び
封止部材；
を含む、ディスペンサーヘッド
を含む、ステップ、
第１のディスペンサーユニットに第１の容器を載せるステップ；
前記封止部材を前記第１の容器の少なくとも一部分に接触するように動かして、前記ディスペンサーヘッドと前記第１の容器との間に封止障壁を形成するようにするステップ；
前記第１の容器の内部体積部をガスで加圧するステップ；及び
前記少なくとも１つの流体ポートを通して前記第１の容器の前記内部体積部に前記飲料をポンプ作用で注ぐステップ
を含むことを特徴とする、方法。
【発明の詳細な説明】
【技術分野】
【０００１】
本発明は、飲料の計量分配に関し、特に、消費するための炭酸又は発泡性（ｅｆｆｅｒｖｅｓｃｅｎｔ）飲料を計量分配することに関する。本発明の態様は、飲み物の容器に炭酸又は発泡性飲料を迅速に計量分配するためのシステム及び方法に関する。
【背景技術】
【０００２】
アルコール及びノンアルコールの炭酸の飲み物などの飲料は、バー、競技場、映画館、劇場及びスタジアムを含むエンターテイメント会場で購入される。これらの会場は、エンターテイメントイベントの期間中に、数千人収容することがあるため、短期間に大量の飲料を計量分配して販売する必要がある。
【０００３】
現在の飲料ディスペンサーシステムは、一般に、加圧された樽やタンクに炭酸又は発泡性飲料を貯蔵している。樽又はタンクは、ディスペンサーヘッドに接続され、及び飲料は、熟練オペレータによって手動でグラスやカップに計量分配される。或いは、後混合式のシステムにおいては、水に炭酸ガスを入れ、且つ水を計量分配する前に、フレーバー付きシロップと混合する。しかしながら、これらのシステムには、エンターテイメントイベントの期間中に多数の顧客に出すためには、いくつかの問題及び制限がある。
【０００４】
エンターテイメントイベントの性質に起因して、多数の顧客が同時に、すなわちイベント前、又は短い休憩時間の間に、飲料を購入しようとすることはよくある。これにより、熟練オペレータは、短い時間枠の間中、多数の飲み物を計量分配しようとすることになるかもしれない。これは、飲料を迅速に受け取ってイベントに戻って楽しみたがっている多数の顧客に対応するというプレッシャーを会場スタッフにかける。
【０００５】
残念ながら、現在のディスペンサーシステムは、迅速に計量分配することができない。これらのシステムの体積流量の増加は、発泡性（ｆｉｚｚｙ）飲料を過度に泡立たせてしまうこととなる可能性がある。これは、さらに、オペレータが、泡立ちが治まるのを待つ必要があるか、又は飲料を廃棄して代わりのものを計量分配する必要があるかのいずれかであるため、飲料を計量分配する速度をさらに遅くしてしまう。これにより、どんなときでも、飲み物が計量分配され得る速度、及び顧客の処理量を制限する。
【０００６】
一部の会場では、忙しい時間中の高需要に応えるために、注文を受ける前に、低需要の静かな時間中に大量の飲み物を予め注いでおくことによって、この問題に対処しようとするかもしれない。しかしながら、この手法は、飲み物が販売されるまでに時間が空くため、汚染される可能性があり、飲み物の品質に影響を及ぼす。計量分配された飲み物はまた、急速に温まり始めて炭酸が抜け、消費者の喜びを低下させて、顧客に飲み物の支払いを行う気をなくさせ得る。これは、会場及び醸造者又は飲み物のブランドの評判及び利益に悪影響を与え得る。
【０００７】
さらに、予め注がれた飲み物を多数用意することは、会場の保管場所の問題を生じ、且つ飲み物が全く売れなかった場合には、大量の廃棄物を生じ得る。
【発明の概要】
【０００８】
本発明の態様の目的は、従来技術の飲料ディスペンサーシステムの上述の欠点を未然に防ぐか又は少なくとも軽減することにある。
【０００９】
本発明の態様の目的は、飲料を迅速に且つ高品質に計量分配できる、ロバストで且つ信頼性の高い飲料計量分配システムを提供することにある。
【００１０】
本発明の態様のさらなる目的は、飲料を過度に泡立たせることを軽減させるか又は回避するために、逆圧下で、炭酸又は発泡性飲料を迅速に計量分配できるようにし得る、飲料計量分配システムを提供することにある。
【００１１】
本発明の態様の別の目的は、複数の炭酸又は発泡性飲料を連続的に及び／又は同時に計量分配できるようにし得る、セルフサービスの飲料計量分配システムを提供することにある。
【００１２】
本発明の態様の目的は、飲料に過度の泡を形成することなく、炭酸又は発泡性飲料を迅速に計量分配する方法を提供することにある。
【００１３】
さらに、本発明の目標は、以下の説明から明らかになる。
【００１４】
本発明の第１の態様によれば、容器内に飲料を計量分配するためのシステムにおいて、システムは：
少なくとも１つのディスペンサーユニット
を含み、少なくとも１つのディスペンサーユニットは、
ディスペンサーヘッド
を含み、ディスペンサーヘッドは：
飲料出口；
少なくとも１つの圧力ポート
容器の少なくとも一部分とディスペンサーヘッドとの間に封止障壁を形成するように構成されている可動封止部材
を含む、システムが提供される。
【００１５】
容器とディスペンサーヘッドとの間に封止障壁を形成できる飲料計量分配システムを提供することによって、容器の内部と外部との間に差圧を生じるのを容易にして、容器の内部に飲料を迅速に計量分配できるようにし得る。
【００１６】
好ましくは、システム又は少なくとも１つのディスペンサーユニットは、容器を支持するように構成された少なくとも１つの支持部材を含む。
【００１７】
好ましくは、少なくとも１つの支持部材は、容器の口、リップ及び／又はリムにおいて、容器に接触する、それを保持する、位置決めする、及び／又は支持するように構成されている。少なくとも１つの支持部材は、容器の口、リップ及び／又はリムの内面、外面及び／又は上面に接触するように構成され得る。
【００１８】
少なくとも１つの支持部材は、容器のベース又は側面において、容器に接触する、それを保持する、位置決めする、及び／又は支持するように構成され得る。
【００１９】
少なくとも１つの支持体は、容器を可動封止部材と面一に位置決め及び／又は整列させて、効果的なシールを保証するように構成され得る。少なくとも１つの支持体は、容器のリップ及び／又はリムを可動封止部材と整列させるように容器を位置決めするように構成され得る。
【００２０】
少なくとも１つの支持部材は、容器がディスペンサーユニット内に装入又は位置決めされると、容器の口、リップ及び／又はリムの内面、外面及び／又は上面を支持部材に載置できるような形状及び／又は寸法にされ得る。
【００２１】
容器の少なくとも一部分とディスペンサーヘッドとの間に封止障壁を形成するように構成されている可動封止部材を含むシステムを提供することによって、容器の位置は、封止障壁が形成されており、飲料を計量分配し、及び封止障壁を取り除く間、変化しない。これは、飲料の攪拌又はこぼれを回避又は軽減し得る。
【００２２】
可動封止部材は、封止部材が容器から離間される第１の状態と、封止部材が容器の少なくとも一部分と接触して封止障壁を形成する第２の状態との間で可動であるように構成され得る。
【００２３】
容器の少なくとも一部分は、容器の口、リップ及び／又はリムとし得る。封止部材は、容器の口、リップ及び／又はリムの内面、外面又は上面に接触、把持及び／又はクランプし得る。
【００２４】
封止部材は封止要素を含み得る。封止要素は、弾性材料及び／又は食品に使用しても安全な材料を含み得る。封止要素は、シリコーン、ゴム、プラスチック又は樹脂からなる群から選択される材料で作製され得る。任意の好適な弾性材料及び／又は食品に使用しても安全な材料が使用され得る。
【００２５】
容器の口、リップ及び／又はリムの内面、外面又は上面に接触、把持及び／又はクランプするように構成された可動封止部材を提供することによって、第１の状態にある封止部材と第２の状態にある封止部材との間の距離は、短距離とし得る。これにより、システムが封止障壁を迅速に形成できるようにし、それにより、時間を節約する。
【００２６】
封止部材は、実質的に垂直及び／又は水平方向に動くように構成され得る。好ましくは、封止部材は、ほぼ垂直方向に動くように構成されている。封止部材の第１の状態と第２の状態との間の垂直方向の距離は、約２ｍｍ〜２００ｍｍの範囲にあるとし得る。好ましくは、封止部材の第１の状態と第２の状態との間の距離は、約１０ｍｍ〜１５ｍｍの範囲にあるとし得る。
【００２７】
容器の口、リップ及び／又はリムの内面、外面又は上面に接触、把持及び／又はクランプするように構成された可動封止部材を提供することによって、封止力が容器の小領域に限定されて加えられる。これにより、容器本体全体に力が加えられることを回避する。
【００２８】
システムは、スクリーン、ドア及び／又は跳ねよけを含み得る。スクリーン、ドア及び／又は跳ねよけは、飲料を計量分配している最中、ユーザから容器を隔離し得る。計量分配している最中、容器からユーザを隔離することによって、複数の部分を動かしたり又は容器を破損したりすることからの、ユーザに対する安全性リスクを軽減する。こぼれ又は跳ねも軽減する。ユーザによるディスペンサーの複数の部分へのアクセスが限定されていることにより、ディスペンサーの衛生状態も高める。
【００２９】
容器は：飲用容器、ボトル、マグ、カップ、ジョッキ、グラス、ビーカー、タンブラー又はタンカードからなる群から選択され得る。容器は、硬質若しくは軟質プラスチック、ガラス、セラミック、厚紙、紙、蝋紙又は発泡体を含む材料の範囲から作製され得る。容器は、使い捨てでも又は再利用可能でもよい。
【００３０】
計量分配される飲料の量は、５６８ｍｌのＵＫパイントでも、又は４７３ｍｌのＵＳパイントでもよい。計量分配される飲料の量は、ＵＫ又はＵＳパイントの一部でもよい。計量分配される飲料の量は、調整可能に設定され得る。
【００３１】
飲料は、１０秒未満で容器内に計量分配され得る。好ましくは、飲料は、５秒未満で容器内に計量分配され得る。さらに好ましくは、飲料は、３秒未満で容器内に計量分配され得る。
【００３２】
飲料は、炭酸及び／又は発泡性飲料とし得る。飲料は、アルコール及び／又はノンアルコールとし得る。好ましくは、飲料はビールである。ビールは、ラガー、エール、小麦ビール、スタウト、ポーター及び／又はモルトからなる群から選択され得る。
【００３３】
圧力ポートはまた、飲料出口の機能を果たし得る。圧力ポートに接続された弁が、ポートを通過する媒質を制御し得る。
【００３４】
容器とディスペンサーヘッドとの間に封止障壁を形成できるシステムを提供することによって、逆圧下で飲料を計量分配するのを容易にし得る。
【００３５】
少なくとも１つの圧力ポートは、少なくとも１つの圧力源に接続され得る。圧力源は、容器の内部と外部との間に圧力差を生じるように構成され得る。内部圧力は外部圧力よりも高いとし得る。内部圧力は、飲料を計量分配している間、維持されて、製品の酸化又は汚染を防止し得る。炭酸又は発泡性飲料では、これにより、飲料からの炭酸又は気泡の損失を防止し得る。
【００３６】
好ましくは、飲料出口は少なくとも１つの飲料源に接続される。少なくとも１つの飲料源は、加圧としても又は非加圧としてもよい。少なくとも１つの飲料源は、樽又は貯蔵タンクとし得る。
【００３７】
飲料源は２部システムとし得、ここで、カーボネータにおいて水などの第１の流体に炭酸ガスが入れられ、且つこれは、計量分配前に、シロップなどの第２の流体と混合される。
【００３８】
飲料出口は、ディップチューブ及び／又はノズルに接続され得る。ディップチューブ及び／又はノズルは、短くても、又は容器の底部まで延在してもよい。ディップチューブ及び／又はノズルは、直線でも、又は容器の側面に対して角度がつけられていてもよい。
【００３９】
ノズルは、全体的に円錐形を有し得る。ノズルは、その表面に複数の流体輸送路を含み得る。流体輸送路は、飲料を容器の内面に接触するように送る及び／又は方向付けるような形状及び寸法にされ得る。
【００４０】
少なくとも１つの圧力源はガス供給部とし得る。好ましくは、少なくとも１つの圧力源は、封止部材が第２の状態にあるとき、容器の内外体積部間に圧力差を形成するように構成されている。
【００４１】
ガス供給部は：不活性ガス、空気、二酸化炭素及び／又はガス混合物からなる群から選択され得る。
【００４２】
可動封止部材は、封止部材を第１の状態と第２の状態との間で動かすように構成されたアクチュエータに接続され得る。
【００４３】
好ましくは、封止部材は、ディスペンサーヘッドに取り付けられる。ディスペンサーヘッドは、封止部材を動かすように可動とし得る。好ましくは、ディスペンサーヘッドは、封止部材をほぼ垂直方向に動かすように、ほぼ垂直方向に可動とし得る。封止部材及び／又はディスペンサーヘッドは、少なくとも１つの支持部材に対して可動である。封止部材及び／又はディスペンサーヘッドは、少なくとも１つの支持部材、及び／又は少なくとも１つの支持部材によって支持される容器に対して、ほぼ垂直方向に可動である。
【００４４】
システムは、複数の支持部材を含み得る。第１の支持部材が、容器の口、リップ及び／又はリムにおいて、容器に接触する及び／又はそれを保持するように構成され得、及び第２の支持部材が、容器の側面及び／又はベースに接触する及び／又はそれを保持するように構成され得る。
【００４５】
ベース支持部材は、ディスペンサーに取り外し自在に取り付け可能とし得る。異なる寸法及び／又は形状の複数のベース支持部材は、ディスペンサー内で容器の高さ及び／又は位置を調整するために設けられ得る。容器の形状及びサイズに適合するように適切なベース支持体を選択することによって、容器は、ディスペンサーヘッドが確実に容器と効果的なシールを生じ得るように、上げたり下げたりされてもよい。それゆえ、異なる容器の形状及びサイズの範囲が、ディスペンサーにおいて使用され得る。
【００４６】
ベース支持部材は、容器を支持し得る任意の好適な材料で作製され得る。好ましくは、ベース支持部材は、透明、半透明又は半不透明（ｓｅｍｉ−ｏｐａｑｕｅ）な材料で作製される。ベース支持部材は、プラスチック又はガラスで作製され得る。
【００４７】
ベース支持体は、光がその構造を透過できるようにし得る。ディスペンサーシステムによって、異なる光の色がベース支持体を透過するようにして、計量分配動作のステータスを示し得る。
【００４８】
システムは、制御装置を含み得る。制御装置は、ディスペンサーヘッド及び／又は封止部材の動きを制御するように構成され得る。制御装置は、飲料出口を通した飲料のポンプ作用での注入（ｐｕｍｐｉｎｇ）を制御するように構成され得る。制御装置は、少なくとも１つの圧力ポートを通した容器の加圧を制御するように構成され得る。制御装置は、少なくとも１つの圧力ポートを通した容器からのガス及び過剰な飲料の排出を制御するように構成され得る。
【００４９】
システムは、飲料ディスペンサーの性能を監視し且つ計量分配パラメータの「リアルタイム」の調整を可能にするセンサーを含み得る。パラメータは、流量、ポンプ作用での送給量（ｐｕｍｐｉｎｇ  ｒａｔｅｓ）、流れ／ポンプ作用時間、容器の閾値逆圧、及び温度などの冷却パラメータを含み得る。計量分配パラメータの制御をもたらすことによって、炭酸化レベル、温度及び／又は「泡」の高さが、所望のパラメータ内で維持され得るか、又はユーザの好みに合わせられ得る。
【００５０】
容器は、計量分配機器に手動で又は自動的に装入され得る。自動装入は、制御装置によって制御され得、ユーザが操作しなくても、飲料用容器を配置できるようにする。
【００５１】
制御装置は、飲料計量分配ユニットの安全な自動操作を促すようにプログラムされ得る。制御装置は、計量分配している最中、容器へのアクセス及び／又はその放出を防止するために、安全ロックを作動するようにプログラムされ得る。制御装置は、計量分配システムの様々な構成要素に指示し、且つ様々なセンサー（圧力、温度、流れ、近接性）からの出力を監視し得る。
【００５２】
制御装置は、リモートコンピュータによってプログラムされた単純なボードを含み得る。或いは、プログラミングは、ネットワークを通じてリモートで、飲料ディスペンサー内に設置されたローカルコンピュータユニットに対して実行され得る。
【００５３】
制御装置は、サイクルの間に計量分配された飲料の数を監視し、且つ飲料源がその後のさらなる計量分配よって飲料を全く生じないか又は品質の劣る飲料を生じる下限量閾値に達したと計算すると、計量分配動作を中断する能力を有するように構成され得る。
【００５４】
制御装置は、ユーザ（顧客）に対して指示をもたらし／ユーザ（顧客）からの指示を受信するコンピュータ機器に接続され得る。
【００５５】
制御装置は、ドア（存在する場合）を開放して、自動的に計量分配された飲料をユーザ／顧客に受け渡すように構成され得る。
【００５６】
好ましくは、システムは、セルフサービスのシステムである。容器を装入すること、飲料を計量分配すること、及び計量分配された飲料を受け渡すことは、自動化される。
【００５７】
本発明の第２の態様によれば、容器内に飲料を計量分配するためのシステムにおいて、システムは：
少なくとも１つのディスペンサーユニット
を含み、少なくとも１つのディスペンサーユニットは、
容器を支持するように構成された少なくとも１つの支持部材と、
ディスペンサーヘッドと
を含み、ディスペンサーヘッドは：
飲料出口；
少なくとも１つの圧力ポート、
可動封止部材であって、封止部材が容器から離間される第１の状態と、封止部材が容器の少なくとも一部分と接触して封止障壁を形成する第２の状態との間で動くように構成されている可動封止部材
を含む、システムが提供される。
【００５８】
本発明の第２の態様の実施形態は、本発明の第１の態様又はその実施形態の１つ以上の特徴を含み得る、又はその逆も同様である。
【００５９】
本発明の第３の態様によれば、容器内に飲料を計量分配するためのシステムにおいて、システムは：
少なくとも１つのディスペンサーユニット
を含み、少なくとも１つのディスペンサーユニットは、
容器を支持するように構成された少なくとも１つの支持部材と、
可動ディスペンサーヘッドと
を含み、可動ディスペンサーヘッドは：
飲料出口；
少なくとも１つの圧力ポート
封止部材
を含み；
ディスペンサーヘッドは、封止部材が容器から離間される第１の状態と、封止部材が容器の少なくとも一部分と接触する第２の状態との間で可動である、システムが提供される。
【００６０】
好ましくは、少なくとも１つの圧力源は、ディスペンサーヘッドが第２の状態にあるとき、容器の内外体積部間に差圧を形成するように構成されている。
【００６１】
好ましくは、封止部材は、ディスペンサーヘッドに取り付けられている。ディスペンサーヘッドは、封止部材を動かすように可動とし得る。封止部材及び／又はディスペンサーヘッドは、少なくとも１つの支持部材に対して可動である。
【００６２】
本発明の第３の態様の実施形態は、第１又は第２の本発明の態様又はその実施形態の１つ以上の特徴を含み得る、又はその逆も同様である。
【００６３】
本発明の第４の態様によれば、容器内に飲料を計量分配するためのシステムにおいて、システムは：
容器を支持するように構成された少なくとも１つの支持部材；
飲料出口； 
少なくとも１つの圧力源、及び
可動封止部材であって、封止部材が容器から離間される第１の状態と、封止部材が容器のリム、上縁又は内縁に接触して封止障壁を形成する第２の状態との間で可動である可動封止部材
を含み、
少なくとも１つの圧力源は、封止障壁が形成されると、容器の内外体積部間に差圧を形成するように構成されている、システムが提供される。
【００６４】
本発明の第４の態様の実施形態は、第１、第２又は第３の本発明の態様又はそれらの実施形態の１つ以上の特徴を含み得る、又はその逆も同様である。
【００６５】
本発明の第５の態様によれば、容器内に飲料を計量分配するためのシステムにおいて、システムは：
複数のディスペンサーユニットを含む支持フレーム
を含み；
各ディスペンサーユニットは、
容器を支持するように構成された少なくとも１つの支持部材と；
飲料出口及び少なくとも１つの圧力ポートを含むディスペンサーヘッドと；
容器の少なくとも一部分とディスペンサーヘッドとの間に封止障壁を形成するように構成されている可動封止部材と
を含む、システムが提供される。
【００６６】
本発明の第５の態様の実施形態は、第１〜第４の本発明の態様又はそれらの実施形態の１つ以上の特徴を含み得る、又はその逆も同様である。
【００６７】
本発明の第６の態様によれば、炭酸又は発泡性飲料を容器内に計量分配するシステムにおいて、システムは：
少なくとも１つのディスペンサーユニット
を含み、ディスペンサーユニットは、
容器を支持するように構成された少なくとも１つの支持部材と、
ディスペンサーヘッドと
を含み、ディスペンサーヘッドは：
飲料出口；
封止部材であって、封止部材が容器から離間される第１の状態と、封止部材が、容器のリム、上縁又は内縁に接触して、封止障壁を形成する第２の状態との間で可動である封止部材；及び
容器の内外体積部間に差圧を形成するように構成された少なくとも１つの圧力ポート
を含む、システムが提供される。
【００６８】
本発明の第６の態様の実施形態は、第１〜第５の本発明の態様又はそれらの実施形態の１つ以上の特徴を含み得る、又はその逆も同様である。
【００６９】
本発明の第７の態様によれば、容器内に飲料を計量分配する方法において、方法は：
少なくとも１つのディスペンサーユニットを含む飲料ディスペンサーシステムを提供するステップであって、少なくとも１つのディスペンサーユニットは、
少なくとも１つの支持部材と；
飲料出口；
少なくとも１つの圧力ポート、及び
封止部材
を含む、ディスペンサーヘッドと
を含む、ステップ；
少なくとも１つの支持部材を使用して容器を支持するステップ；
ディスペンサーヘッドと容器との間に封止障壁を形成するように、封止部材を、容器の少なくとも一部分と接触するように動かすステップ；
容器の内部体積部をガスで加圧するステップ、及び
飲料出口を通して容器の内部体積部に飲料をポンプ作用で注ぐステップ
を含む、方法が提供される。
【００７０】
方法は、飲料を容器内にポンプ作用で注いでいる間に、容器の内部体積部から加圧ガスを排出させる又は除去するステップを含み得る。方法は、少なくとも１つの圧力ポートを通して加圧ガスを排出させる又は除去することを含み得る。
【００７１】
方法は、飲料が容器内にポンプ作用で注がれた後、容器の内部体積部から加圧ガスを排出させる又は除去することを含み得る。
【００７２】
ガスは：不活性ガス、空気、二酸化炭素及び／又はガス混合物からなる群から選択され得る。
【００７３】
容器の少なくとも一部分は、容器の口、リップ及び／又はリムとし得る。封止部材は、容器の口、リップ及び／又はリムの内面、外面又は上面に接触、把持及び／又はクランプし得る。
【００７４】
方法は、ディスペンサーヘッドを動かすことによって、封止部材を動かすことを含み得る。方法は、飲料を容器内にポンプ作用で注いだ後、容器のリム、上縁又は内縁から離れるように封止部材を動かして、ディスペンサーヘッドと容器との間の封止障壁を壊すことを含み得る。
【００７５】
方法は、容器の内外体積部間に圧力差を形成するように容器の内部体積部を加圧することを含み得る。
【００７６】
方法は、容器内の圧力を大気圧よりも高くしてから、飲料を容器内にポンプ作用で注ぐことを含み得る。方法は、飲料を容器内にポンプ作用で注いでいる間又は注いだ後、容器内の圧力を大気圧まで減圧させることを含み得る。
【００７７】
方法は、１０秒未満で飲料を計量分配することを含み得る。好ましくは、方法は、５秒未満で飲料を計量分配することを含み得る。さらに好ましくは、方法は、３秒未満で飲料を計量分配することを含み得る。
【００７８】
飲料ディスペンサーシステムは、セルフサービスのシステムとし得る。方法のステップは自動化され得る。自動化されたステップは、制御装置によって制御され得る。
【００７９】
本発明の第７の態様の実施形態は、第１〜第６の本発明の態様又はそれらの実施形態のいずれかの１つ以上の特徴を含み得る、又はその逆も同様である。
【００８０】
本発明の第８の態様によれば、炭酸又は発泡性飲料を容器内に計量分配する方法において、方法は：
少なくとも１つのディスペンサーユニットを含む飲料ディスペンサーシステムを提供するステップであって、ディスペンサーユニットは、
少なくとも１つの支持部材と；
飲料出口；
少なくとも１つの圧力ポート；及び
封止部材
を含む、ディスペンサーヘッドと
を含む、ステップ；
少なくとも１つの支持部材に容器を載せるステップ；
ディスペンサーヘッドと容器との間に封止障壁を形成するために、容器のリム、上縁又は内縁と封止部材を接触させるように、ディスペンサーヘッドを動かすステップ；
容器の内部体積部をガスで加圧するステップ、及び
飲料出口を通して容器の内部体積部に飲料をポンプ作用で注ぐステップ
を含む、方法が提供される。
【００８１】
本発明の第８の態様の実施形態は、第１〜第７の本発明の態様又はそれらの実施形態のいずれかの１つ以上の特徴を含み得る、又はその逆も同様である。
【００８２】
本発明の第９の態様によれば、炭酸又は発泡性飲料を容器内に計量分配する方法において、方法は：
少なくとも１つのディスペンサーユニットを含む飲料ディスペンサーシステムを提供するステップであって、少なくとも１つのディスペンサーユニットは、
少なくとも１つの支持部材と；
飲料出口；
少なくとも１つの圧力ポート；及び
封止部材
を含む、ディスペンサーヘッドと
を含む、ステップ；
少なくとも１つの支持部材を使用して容器を支持するステップ；
ディスペンサーヘッドと容器との間に封止障壁を形成するために、容器のリム、上縁又は内縁と封止部材を接触させるように、ディスペンサーヘッドを動かすステップ；
容器の内部体積部をガスで加圧するステップ、及び
飲料出口を通して容器の内部体積部に飲料をポンプ作用で注ぐステップ
を含む、方法が提供される。
【００８３】
本発明の第９の態様の実施形態は、第１〜第８の本発明の態様又はそれらの実施形態いずれかの１つ以上の特徴を含み得る、又はその逆も同様である。
【００８４】
本発明の第１０の態様によれば、炭酸又は発泡性飲料を複数の容器内に計量分配する方法において、方法は：
複数のディスペンサーユニットを含む飲料ディスペンサーシステムを提供するステップであって、各ディスペンサーユニットは、
容器を支持するように構成された少なくとも１つの支持部材と、
飲料出口；
少なくとも１つの圧力ポート；及び
封止部材；
を含む、ディスペンサーヘッドと
を含む、ステップ、
第１のディスペンサーユニットに第１の容器を載せるステップ；
ディスペンサーヘッドと第１の容器との間に封止障壁を形成するために、封止部材を、第１の容器の少なくとも一部分と接触するように動かすステップ；
第１の容器の内部体積部をガスで加圧するステップ；及び
飲料出口を通して第１の容器の内部体積部に飲料をポンプ作用で注ぐステップ
を含む、方法が提供される。
【００８５】
方法は、第２又はさらなる容器内に飲料を計量分配するステップを繰り返すことを含み得る。方法は、第１の容器が満たされた後で、第１のディスペンサーユニットを使用して、飲料を第２の容器内に計量分配することを含み得る。方法は、第１のディスペンサーユニットが第１の容器内に計量分配するのに続いて、又はそれと同時に、第２のディスペンサーを使用して、飲料を第２の容器内に計量分配することを含み得る。
【００８６】
容器の少なくとも一部分は、容器の口、リップ及び／又はリムとし得る。封止部材は、容器の口、リップ及び／又はリムの内面、外面又は上面に接触、把持及び／又はクランプし得る。
【００８７】
本発明の第１０の態様の実施形態は、第１〜第９の本発明の態様又はそれらの実施形態のいずれかの１つ以上の特徴を含み得る、又はその逆も同様である。
【００８８】
本発明の第１１の態様によれば、容器内に飲料を計量分配するためのシステムにおいて、システムは：
容器を支持するように構成された少なくとも１つの支持部材と、
少なくとも１つのディスペンサーヘッドであって、容器の少なくとも一部分と少なくとも１つのディスペンサーヘッドとの間に封止障壁を形成するように構成されている少なくとも１つの可動シールを含む、少なくとも１つのディスペンサーヘッドと
を含む、システムが提供される。
【００８９】
本発明の第１１の態様の実施形態は、第１〜第１０の本発明の態様又はそれらの実施形態のいずれかの１つ以上の特徴を含み得る、又はその逆も同様である。
【００９０】
本発明の第１２の態様によれば、容器内に飲料を計量分配する方法において、方法は：
飲料ディスペンサーシステムを提供するステップであって、飲料ディスペンサーシステムは、
少なくとも１つの支持部材と、
少なくとも１つの封止部材
を含む、少なくとも１つのディスペンサーヘッドと
を含む、ステップ、
少なくとも１つの支持部材を使用して容器を支持するステップ；
ディスペンサーヘッドと容器との間に封止障壁を形成するように、封止部材を、容器の少なくとも一部分と接触するように動かすステップ；
容器の内部体積部をガスで加圧するステップ、及び
飲料出口を通して容器の内部体積部に飲料をポンプ作用で注ぐステップ
を含む、方法が提供される。
【００９１】
本発明の第１２の態様の実施形態は、第１〜第１１の本発明の態様又はそれらの実施形態のいずれかの１つ以上の特徴を含み得る、又はその逆も同様である。
【００９２】
本発明の第１３の態様によれば、容器内に飲料を計量分配するためのシステムにおいて、システムは：
少なくとも１つのディスペンサーユニット
を含み、少なくとも１つのディスペンサーユニットは、
ディスペンサーヘッド
を含み、ディスペンサーヘッドは：
少なくとも１つの流体ポート；及び
容器の少なくとも一部分とディスペンサーヘッドとの間に封止障壁を形成するように構成されている可動封止部材
を含む、システムが提供される。
【００９３】
少なくとも１つの流体ポートは、好ましくは、飲料出口及び／又は圧力ポートである。少なくとも１つの流体ポートに弁が接続されて、流体ポートが飲料出口及び／又は圧力ポートとして機能するかどうかを制御し得る。弁は、流体ポートが圧力ポートである第１の状態と、流体ポートが飲料出口である第２の状態との間で動作され得る。
【００９４】
システムは、容器を支持するように構成された少なくとも１つの支持部材を含み得る。
【００９５】
本発明の第１３の態様の実施形態は、本発明の第１〜第１２の態様又はそれらの実施形態のいずれかの１つ以上の特徴を含み得る、又はその逆も同様である。
【００９６】
ここで、例としてのみ、図面を参照して本発明の様々な実施形態を説明する。
【図面の簡単な説明】
【００９７】
【図１】図１は、本発明の実施形態によるディスペンサーシステムを斜視図で示す。
【図２】図２Ａは、図１のディスペンサーシステムのディスペンサー装置の構成要素を拡大斜視図で示し、図２Ｂは、図１のディスペンサーシステムのディスペンサー装置の構成要素を拡大斜視図で示し、図２Ｃは、図１のディスペンサーシステムのディスペンサー装置の構成要素を拡大斜視図で示し、図２Ｄは、図１のディスペンサーシステムのディスペンサー装置の構成要素を拡大斜視図で示し、図２Ｅは、図１のディスペンサーシステムのディスペンサー装置の構成要素を拡大斜視図で示し、図２Ｆは、図１のディスペンサーシステムのディスペンサー装置の構成要素を拡大斜視図で示す。
【図３】図３Ａは、図１のディスペンサー装置の実施形態において使用され得る代替的な支持要素の上から見下ろした図であり、図３Ｂは、図１のディスペンサー装置の実施形態において使用され得る代替的な支持要素の上から見下ろした図であり、図３Ｃは、図１のディスペンサー装置の実施形態において使用され得る代替的な支持要素の上から見下ろした図である。
【図４】図４Ａは、飲料計量分配状態で示す、本発明の実施形態による図１のディスペンサー装置のディスペンサー機構の概略図であり、図４Ｂは、容器装入状態で示す、本発明の実施形態による図１のディスペンサー装置のディスペンサー機構の概略図である。
【図５】図５Ａは、図１の実施形態において使用され得る封止要素配置構成の概略図であり、図５Ｂは、図１の実施形態において使用され得る封止要素配置構成の概略図であり、図５Ｃは、図１の実施形態において使用され得る封止要素配置構成の概略図である。
【図６】図６Ａは、図１の実施形態において使用され得る代替的な封止要素配置構成の概略図であり、図６Ｂは、図１の実施形態において使用され得る代替的な封止要素配置構成の概略図であり、図６Ｃは、図１の実施形態において使用され得る代替的な封止要素配置構成の概略図である。
【図７】図７Ａは、様々な動作段階で示す、本発明の実施形態による図１のディスペンサーシステムのディスペンサー機構の概略図であり、図７Ｂは、様々な動作段階で示す、本発明の実施形態による図１のディスペンサーシステムのディスペンサー機構の概略図であり、図７Ｃは、様々な動作段階で示す、本発明の実施形態による図１のディスペンサーシステムのディスペンサー機構の概略図であり、図７Ｄは、様々な動作段階で示す、本発明の実施形態による図１のディスペンサーシステムのディスペンサー機構の概略図であり、図７Ｅは、様々な動作段階で示す、本発明の実施形態による図１のディスペンサーシステムのディスペンサー機構の概略図であり、図７Ｆは、様々な動作段階で示す、本発明の実施形態による図１のディスペンサーシステムのディスペンサー機構の概略図であり、図７Ｇは、様々な動作段階で示す、本発明の実施形態による図１のディスペンサーシステムのディスペンサー機構の概略図であり、図７Ｈは、様々な動作段階で示す、本発明の実施形態による図１のディスペンサーシステムのディスペンサー機構の概略図であり、図７Ｉは、様々な動作段階で示す、本発明の実施形態による図１のディスペンサーシステムのディスペンサー機構の概略図である。
【図８】図８Ａは、容器装入状態で示す、本発明の実施形態による図１のディスペンサーシステムにおいて使用され得る代替的なディスペンサー機構の概略図であり、図８Ｂは、飲料計量分配状態で示す、本発明の実施形態による図１のディスペンサーシステムにおいて使用され得る代替的なディスペンサー機構の概略図である。
【図９】図９は、図１のディスペンサーシステムの回路の概略図である。
【図１０】図１０Ａは、本発明の実施形態によるディスペンサーシステムの概略的な斜視図であり、図１０Ｂは、本発明の実施形態によるディスペンサーシステムの概略的な斜視図であり、図１０Ｃは、本発明の実施形態によるディスペンサーシステムの概略的な斜視図である。
【図１１】図１１Ａは、図１０Ａのディスペンサーシステムにおける容器支持体の拡大斜視図であり、図１１Ｂは、図１０Ａのディスペンサーシステムにおける容器支持体の拡大斜視図である。
【図１２】図１２は、図１０Ａのディスペンサーシステムにおけるベース支持体の斜視図である。
【図１３】図１３Ａは、図１及び図１０Ａのディスペンサーにおいて使用され得る封止板の概略図であり、図１３Ｂは、図１及び図１０Ａのディスペンサーにおいて使用され得る封止板の概略図であり、図１３Ｃは、図１及び図１０Ａのディスペンサーにおいて使用され得る封止板の概略図であり、図１３Ｄは、図１及び図１０Ａのディスペンサーにおいて使用され得る封止板の概略図である。
【図１３Ｅ】図１３Ｅは、図１３Ａ〜１３Ｃの封止板において使用され得るノズルの斜視図である。
【図１４】図１４は、図１０Ａのディスペンサーシステムの回路の概略図である。
【図１５】図１５Ａは、本発明の実施形態によるディスペンサーシステムの概略的な断面図であり、図１５Ｂは、本発明の実施形態によるディスペンサーシステムの概略的な断面図である。
【発明を実施するための形態】
【００９８】
以下の説明では、同様の部分には、明細書及び図面を通して同じ参照符号を付す。図面は必ずしも縮尺通りではなく、いくつかの部分の割合は、本発明の実施形態の詳細及び特徴をより良く示すために、誇張されている。
【００９９】
図１はディスペンサーシステム１０を示す。システムは、図示の２つのディスペンサー１４ａ及び１４ｂを備えるディスペンサー本体１２を有する。ディスペンサーは、ディスペンサー１４ａ及び１４ｂの下方に位置するドリップトレイ２０を有する。各ディスペンサーは容器支持体１６を有する。支持体１６は、容器内に飲料を計量分配するために、容器１８を保持及び支持するように構成されている。図１には、２つのディスペンサー１４ａ及び１４ｂのみを示すが、システムは、ディスペンサー本体１２に複数のディスペンサーを含んでもよい。
【０１００】
この例では、支持体１６は、図２Ａ〜２Ｄに最もよく示すように、２つの半円形の半体１６ａ、１６ｂに分けられている。このクラムシェル式の支持設計では、支持体１６の第１の半体１６ａは、蝶番式ドア２０の内面１９に取り付けられている。支持体１６の第２の半体１６ｂは、ディスペンサー１４ａ、１４ｂの壁２１に取り付けられている。ドアは、蝶番２３によってディスペンサー本体１２に接続される。ドア２０は窓２０ａを有して、容器への充填を監視できるようにする。任意選択的に、ドア又はディスペンサーにはベースプレート２７が置かれて、容器を追加的に支持し得る。図２Ａは、一方のディスペンサー１４ａではドア２０が開放状態にあること、及び他方のディスペンサー１４ｂではドア２０が閉鎖状態にあることを示す。
【０１０１】
図２Ｂ及び図２Ｄに示すように、蝶番式ドア２０が開放位置にあるとき、容器の上縁又はリム１８ａは、支持体１６の第１の半体１６ａによって部分的に支持される。図２Ｃ（上から見下ろした図）及び図２Ｅに示すように、ドアが閉鎖されているとき、支持体の第１の半体１６ａ及び第２の半体１６ｂは接触して円形の支持体１６を形成し、これが、容器のリムの円周を取り囲んで、容器の上縁又はリムを十分に支持する。支持要素１６が、容器のリムの全周に沿って連続的に延びている。図２Ｅのドア２０は、明瞭にするために透き通した状態で示されている。
【０１０２】
図２Ｆは、容器１８の上縁又はリム１８ａに対して、矢印「Ｆ」に沿って垂直方向に下がったり上がったりするように設計されているディスペンサーヘッドマニホールド３０の底面の斜視図を示す。ディスペンサーヘッド３０は、封止板３２を含み、封止板３２の一区域に封止要素３４を有する。この例では、封止板３２のこの一区域は、底面３３にある。
【０１０３】
封止要素３４は、支持体１６及び／又は容器１８の上縁、内縁又はリム１８ａに圧接されるとき及び／又はそれに対してクランプされるとき、封止障壁を形成するように設計され且つそのような寸法にされている。この例では、封止要素３４は、シリコーンやゴムなどの弾性材料で作製され、且つ平坦な封止面を有する。
【０１０４】
封止要素３４は、シールが形成されると、容器の内部と外部との間の圧力差を維持するように設計されている。容器の内部と外部との間に圧力差をもたらすことによって、逆圧を使用して、最小限の泡立ちで容器に飲料を迅速に計量分配し得る。
【０１０５】
図３Ａ〜３Ｃは、上から見下ろした図から示す、容器支持体１６の代替的な設計を示す。容器支持体は、容器のタイプ及び／又は形状に基づいて選択され得る。容器支持体は取り外されて、容器のタイプ及び／又は形状に好適となるように、異なる支持設計に取り替えられてもよい。図３ａでは、支持体の半体１１６ａ及び１１６ｂの上面１１６ｃは平坦であり、且つシリコーンやゴム材料などの弾性材料及び／又はわずかに変形可能な材料から作製された固体である。支持体の代替的な設計は、図３Ｂ及び図３Ｃに示されており、これら図面は、支持体の半体の上面１１６ｃにある孔３６又は半径方向の溝３８を示す。支持材は、不可入性固体材料（ｓｏｌｉｄ  ｉｍｐｅｎｅｔｒａｂｌｅ  ｍａｔｅｒｉａｌ）で構成される必要はない。孔又は溝は、支持体のわずかな圧縮を促し、且つシールの形成を支援し得る。代替的な設計では、支持体は、容器を支持するいくつものセグメントを含み得る。
【０１０６】
上述の例では、支持体１６は、容器１８のリムを支持するような寸法にされているドア２０の一部を形成している。しかしながら、ドアの提供は任意選択的である。図４Ａ及び図４Ｂは、ドアのないディスペンサー用の容器支持体を示す。或いは、支持部材は、機器本体から延在し、且つ計量分配が完了すると、引っ込んでもよい。
【０１０７】
図４Ａ及び図４Ｂは、容器支持体１６の代替的な設計を示す。この例では、支持体は、３つの支持部材２６ａ、２６ｂ及び２６ｃを含む。第１の支持部材２６ａは、ディスペンサー１４ａ、１４ｂの壁２１に取り付けられている。第２の支持部材２６ｂは、ディスペンサー本体に旋回式に取り付けられている第１の端部２６ｄと、第２の端部２６ｅとを有する。第３の支持部材２６ｄは、ディスペンサー本体に旋回式に取り付けられている第１の端部２６ｆと、第２の端部２６ｇとを有する。
【０１０８】
図４Ｂに示すように、容器がディスペンサーに置かれるか又は装入されると、容器の上縁又はリム１８ａは、第１の支持部材２６ａによって部分的に支持される。この例では、第１の支持部材は半円形であり、且つ容器を支持する。
【０１０９】
図４Ａに示すようにドアが閉鎖されるとき、第２及び第３の支持部材が旋回されて、それらの第２の端部２６ｅ及び２６ｇが接触して半円形の支持体を形成するようにする。第１の支持部材と一緒に、第２及び第３の部材は、容器の円周を取り囲み、且つ容器の上縁又はリムを完全に支持する。
【０１１０】
この設計では、ドアは必要ではなく、及び容器は、ディスペンサー内に直接位置決め又は装入される。
【０１１１】
上述の例では、封止要素３４は全体的に平面を有するとして示されてきた。しかしながら、図５Ａ〜５Ｃに示すように、代替的な封止要素が使用されてもよい。封止要素は、容器のタイプ及び／又は形状に基づいて選択され得る。封止要素は取り外されて、容器のタイプ及び／又は形状に好適となるように、異なる封止要素と取り替えられてもよい。
【０１１２】
図５Ａは、封止要素３４ａが封止位置及び非封止位置にある実施形態を示す。封止要素３４ａは、上述の例と同様に、ディスペンサーヘッド３０の封止板３２に位置する。しかしながら、この実施形態では、第２の封止要素３７が、容器支持体１６の上面に層として提供される。容器１８がディスペンサー内に位置決めされるか又は装入されると、容器の上縁又はリム１８ａは、第２の封止要素１６ｄで支持される。
【０１１３】
ディスペンサーヘッドが、図５Ａに示すように下げられると、封止要素３４ａと封止要素３７との間にシールが形成される。容器の上縁又はリム１８ａは、封止要素３４ａと封止要素３７との間に挟まれる。
【０１１４】
図５Ｂは、封止要素３４ｂが封止位置にある実施形態を示す。封止要素３４ｂは、どちらかといえば異形成形品と、平坦なシールとを有する。異形成形品封止要素３４ｂは、支持体１６及び容器の上縁又はリム１８ａに押圧されると、封止材をより良好に圧縮するのを容易にし得る。
【０１１５】
図５Ｃは、封止要素３４ｃが封止位置及び非封止位置にある実施形態を示す。封止要素３４ｃは、上述の例に示すような封止板の一区域に制限されない。この実施形態では、封止要素３４ｃは、封止板の底面全体に設けられている。
【０１１６】
上述の例では、封止要素は、容器１８の上縁に接触するとして示されてきた。しかしながら、図６Ａ〜６Ｃに示すように、代替的な設計は、容器リムの内面に接触するようにされている。
【０１１７】
図６Ａは、封止要素３４ｄがディスペンサーヘッド３２の封止板３２の外縁３２ａに置かれている実施形態を示す。容器１８がディスペンサー内に位置決めされるか又は装入されると、容器の上縁又はリム１８ａは、支持体１６に支持される。
【０１１８】
図６Ａに示すようにディスペンサーヘッドが下げられると、封止要素３４と容器の上縁の内面との間にシールが形成される。
【０１１９】
図６Ｂは、封止要素３４ｅが封止板３２と圧縮板４２との間に挟まれている代替的なシール設計を示す。図６Ａに示すようにディスペンサーヘッドが下げられると、圧縮板が作動されて、封止板３２と圧縮板４２との間で封止要素３４ｅを圧縮する。封止要素３４ｅが圧縮するにつれ、封止要素は半径方向に拡張し、封止板３２と容器１８の上縁１８ａの内面１８ｂとの間に封止障壁を形成する。
【０１２０】
図６Ｃは、封止要素３４ｆが膨張でき且つ封止板３２の外縁に取り付けられている別のシール設計を示す。図６Ｃに示すように、ディスペンサーヘッドは下げられて、封止板及びしぼんだ状態にある封止要素が、容器のリムの内側で容器の上縁の内面に隣接するようにする。その後、封止要素３４ｆは膨張されて半径方向に拡張し、封止要素３４ｆと容器の上縁の内面１８ｂとの間にシールを形成する。
【０１２１】
図７Ａ〜７Ｉは、ディスペンサー装置１０から使い捨てのプラスチックカップ容器に炭酸飲料を計量分配するステップを概略的に示す。
【０１２２】
図７Ａに示すように、ディスペンサー１４ａは容器支持体１６ａ及び１６ｂを有する。この例では、支持体１６ａは、容器１８のリム１８ａを支持するような寸法にされているドア２０の一部を形成する。ドア２０は、蝶番２３によってディスペンサー本体１２に接続される。ドア２０は窓２０ａを有して、容器１８への充填を監視できるようにする。
【０１２３】
窓は、透明プラスチック又は他の材料から作製され、且つユーザに計量分配プロセスがはっきり見えるようにし、これは、ユーザにとって比類なく見た目が魅力的で美しい。ドア２０は、誤動作が起こった場合に、飲料がディスペンサーから飛び散るのを防止するという目的に適う。
【０１２４】
容器１８の重量は、支持体１６ａ、１６ｂによって十分に支持される。任意選択的に、容器のベース１８ｃの真下に第２の支持体２７が置かれて、容器を追加的に支持する。
【０１２５】
ディスペンサー機構５０はディスペンサーヘッド３０を含む。ディスペンサーヘッド３０は、アクチュエータ３６、この例では空気圧シリンダーに接続された封止板３２を含む。封止板３２は、その底面３３に封止要素３４を含む。
【０１２６】
封止要素３４は、封止要素３４が容器１８のリムに圧接されると、容器１８と封止板３２との間に封止障壁を形成するように設計され且つそのような寸法にされている。この例では、封止要素３４はシリコーン材料製である。封止要素３４は、封止障壁が形成されると、容器１８の内部と外部との間の圧力差を維持するように設計されている。
【０１２７】
封止板３２は、飲料注入ポート６０及び圧力制御ポート６２を有する。この例では、封止板の底面にある飲料注入ポート６０に、任意選択的なディップチューブ４５が接続される。
【０１２８】
図７Ｂに示すように、容器１８が、ドア２０の内側で容器支持体１６ａ内に位置決めされる。その後、図７Ｃに示すようにドア２０を閉め、且つ計量分配機構を作動させる。
【０１２９】
図７Ｄに示すように、空気圧シリンダー３６を作動させて、そのアーム３６ａを延在させて封止板３２を下げ、封止要素３４を容器と接触させる。封止要素３４は、容器１８のリム１８ａに対して押圧されて、封止障壁を形成する。空気圧シリンダーは、その領域において、容器１８のリム１８ａに５８８Ｎ（６０ｋｇ）の下向きの力をもたらして、確実に封止障壁が形成されるようにし、容器の内部体積部に逆圧が加えられるようにする。
【０１３０】
封止障壁によって、容器の内外体積部間に圧力差が生じることができるようにされるため、容器の外部は大気圧である一方、内部体積部は加圧される。ドアは、ディスペンサー本体との気密シールをもたらさないため、大気圧以外の圧力に維持しない。
【０１３１】
マニホールドアセンブリにロッキング機構が設けられて、ロッキング機構が封止板３２、封止要素３４及び／又はドア２０に係合するようにして、封止障壁が封止板３２と容器との間に形成されている間は、封止要素３４及び／又はドア２０を開けることができないようにしてもよい。
【０１３２】
ロック及びセンサーを含む安全システムは、ドア２０及び／又は支持体１６に接続され、且つディスペンサー１４ａ、１４ｂに組み込まれることができ、例えば、蝶番式ドア２０がぴったりと合うようにそろえられて閉じられていない場合、又は容器２０が支持体１６と接触して置かれていない場合、アクチュエータ３６の作動及び飲料計量分配動作が開始しないか又は停止されている。
【０１３３】
図７Ｄに示すように、容器１８のリム１８ａは、支持体１６と封止要素３４との間に挟まれている。これにより、確実に、効果的なシールが生じるようにされ、及び容器は、飲料を計量分配するための適所にしっかりと保持される。容器は、炭酸飲料中に保持されている気泡又はガスが液体から出てくるのを回避するために、可能な限り動かされないことが重要である。
【０１３４】
ひとたびシールが形成されたら、ディスペンサーシステムを作動させて、図７Ｅに矢印「Ａ」で示されているように、圧力制御ポート６２を介して加圧空気７０を容器１８に充填する。ディスペンサーシステムは、容器のタイプ及び材料に依存して０．３〜６バールの容器内部圧力範囲まで、容器に加圧空気７０を連続的に加える。この例では、１．２バールの容器内部圧力で使い捨てのプラスチック製パイントグラスが使用される。
【０１３５】
その後、ディスペンサーシステムを作動させて、図７Ｆに矢印「Ｂ」によって示されているように、飲料注入ポート６０を通して及び任意選択的なディップチューブ４５を通して、加圧容器に飲料７２をポンプ作用で注ぐ。飲料７２が容器内にポンプ作用で注がれると、加圧空気７０は、図７Ｆ及び図７Ｇにおいて矢印「Ｃ」によって表されるように、容器から圧力制御ポート６２を通って移動されて、容器から除去される。
【０１３６】
計量分配プロセスに続く選択した期間後、残っている空気が圧力制御ポート６２を通して放出される。図７Ｈに示すように、空気圧シリンダー３６を作動させて、アーム３６Ａを引っ込め、且つ封止板３２を容器１８から離れるように上方向に上げる。封止要素３４が容器１８のリム１８ａから持ち上げられたら、封止板３２と容器との間の封止障壁が壊れる。飲料７２を大気圧に曝露することによって、気泡が炭酸飲料７２から抜け出すため、気泡が形成される。
【０１３７】
その後、図７Ｉに示すように、蝶番２３で旋回させることによってドア２０を開けて、容器１８及びそこに入れられている飲料７２へのアクセスをもたらす。ユーザは、容器１８を掴んで、ドア２０及び支持体１６ａから離れるように持ち上げることができる。
【０１３８】
図８Ａ及び図８Ｂは、ドアを有していないディスペンサー１４ａ、１４ｂ用の計量分配機構５０を概略的に示す。ステップは、図７Ａ〜７Ｈで説明したステップと同様である。しかしながら、容器支持体１６は、図４Ａで説明したように、ディスペンサー本体に置かれている。
【０１３９】
図９は、本発明の実施形態による飲料ディスペンサーシステム用の圧力及び流れ回路を示す。システム内の全ての弁、センサー及びアクチュエータに接続されており、それらを監視及び制御する制御装置が、明瞭にするために除かれている。
【０１４０】
回路２００は、空気供給部２１２及び飲料源２１４を含む。空気供給部２１２は、３つの流動線２１２ａ、２１２ｂ、２１２ｃを含む。流動線２１２ａは、レギュレータ２２２を経由して、流体ポンプ２２０に接続される。流動線２１２ａは、流体ポンプ２２０を作動させるように構成されている。
【０１４１】
流動線２１２ｂは、レギュレータ２３７及び弁２３９を経由して、アクチュエータ２３６に接続される。アクチュエータは、ディスペンサーヘッド２３０の作動及び動きを空気圧制御するように構成されている。
【０１４２】
流動線２１２ｃは、レギュレータ２３５、三方弁２３３及び逆止弁２３１を経由して、ディスペンサーヘッド２３０にある圧力ポート２６２に接続される。圧力ポート２６２へ送給される圧縮空気の目的は、容器２１８内に逆圧を生じることであり、それにより、飲料溶液からガスが抜け出して過度な泡又は気泡の形成を起こすことなく、飲料を容器２１８に迅速に計量分配できるようにする。
【０１４３】
飲料源２１４、この例では加圧された樽は、流動線２１４ａに接続されている。流動線２１４ａは、弁２１４ｂを経由してポンプ２２０に接続される。ポンプ２２０は、ディスペンサーヘッド２３０にある飲料注入ポート２６０を経由して、飲料を飲料源２１４から容器２１８内にポンプ作用で注ぐように構成されている。
【０１４４】
ポンプ２２０は、流動線２２０ａにおいて、より低い圧力又は圧力低下を検出すると、作動されるように設計されている。これは、弁２２１が開くと、生じる。
【０１４５】
使用中、オペレータが、ディスペンサー装置の容器支持体（図示せず）に容器２１８を置く。
【０１４６】
計量分配サイクルの開始前、制御装置は、安全システムのステータスをチェックし、このチェックは、容器２１８が存在することを確認するために内部ドアセンサー２４６をチェックすること、及びドアが閉じていることを確認するためにドア安全スイッチのステータスをチェックすることを含む。いずれかのセンサーが、否を示す値を報告する場合、計量分配サイクルは停止して、ユーザがエラーを直すまで待機する。
【０１４７】
安全システムから正の信号があると、制御装置は弁２３９を開放して、アクチュエータ２３６を起動させてディスペンサーヘッド２３０を動かす。ディスペンサーヘッド２３０は、容器２１８の方へ下げられて、マニホールドの封止板及び封止要素２３２が容器２１８と封止障壁を形成するようにする。
【０１４８】
ひとたびシールが形成されたら、制御装置は弁２３３を作動させて、空気供給部２１２とディスペンサーマニホールドにある出口との間の通路を開放する。そのため、加圧空気が容器を満たす。弁２３３は、電動式空気弁である。
【０１４９】
制御装置は、空気注入が停止される圧力を制御する。圧力レベルは、電子又は手動制御式のレギュレータによって、調整可能に設定される。圧力は、０．４バールから、５バールを上回る可能性がある容器の最大圧力定格まで及び得る。
【０１５０】
ディスペンサーヘッド２３０内に置かれた圧力センサー（図示せず）が、加えられた逆圧をシールが保持していることを確認するために、容器２１８の内部圧力を監視する。予め決められた期間内で必要な逆圧まで高めるのに失敗する場合には、制御装置は、計量分配サイクルを中止する。逆圧マニホールドの近くに位置するデジタルディスプレイが、容器２１８内の逆圧のリアルタイムの圧力レベルを提供し得る。
【０１５１】
容器２１８が、必要な逆圧を首尾よく保持する場合、弁２２１を開放するための信号が送信され、それにより、ポンプ２２０を作動させて、飲料源２１４から、可撓性プラスチックチューブ製の流動線２２０ａ及び２２０ｃを通して、計量分配マニホールドにある飲料注入ポート２６０まで、及び容器２１８内へと、飲料をポンプ作用で注ぐ。可撓性プラスチックチューブは十分に「弛んで」いるため、チューブをぴんと張ることなく、アクチュエータ２３６によって計量分配マニホールドを上げ下げできるようにする。
【０１５２】
ポンプ２２０は、制御装置が弁２２１を閉鎖して、予めプログラムされた経過時間後にポンプ２２０が動作停止されるまで、飲料をポンプ作用で送給し続ける。その代わりに、又はそれに加えて、流動線２１４ａ、２２０ａ、２２０ｃ又はディスペンサーヘッド２３０に流量計が設けられて、必要量の飲料が計量分配されたことを測定しても、又は容器内の飲料レベルが必要なレベルに達したことをセンサーが認識してもよい。
【０１５３】
飲料をポンプ作用で送給している間、加圧容器に飲料を加えることによって、容器２１８の内部圧力を高める。三方弁２３３は、排出の圧力閾値によって設定される。容器内の内部圧力レベルが、この圧力閾値を上回る場合、容器からの圧縮空気は、所望の内部圧力レベルに再び到達するまで、弁２３３によって圧力ポート２６２を通って排出通路２３３ｂに沿って放出される。
【０１５４】
容器２１８が満たされるとき、容器内の加圧空気の量は飲料によって入れ換えられ、且つ加圧空気は通路２３３ｂを通して排出される。
【０１５５】
飲料は、計量分配サイクルの期間中、容器内へと迅速に計量分配される。飲料に炭酸ガスが入れられている場合、計量分配している最中の容器内の逆圧が、炭酸飲料内に溶解若しくは混合されているガスが溶液から出るのを実質的に防止するため、泡立ちは軽減されるか、又は最小限にされる。
【０１５６】
ひとたび飲料計量分配相が完了したら、三方出口値２３３は、制御装置によって排出通路２３３ｂを開放するように切り替えられる。加圧空気によってもたらされた逆圧は、容器内のいずれかの過剰な飲料と一緒に、通路２３３ｂを通して廃棄物容器へと排出される。それに続いて又はそれと同時に、制御装置は、アクチュエータ２３６を作動させて、計量分配マニホールドを容器２１８から離れるように持ち上げ、封止板と容器との間の封止障壁を壊す。
【０１５７】
ひとたび計量分配マニホールド２３０が引き出されたら、ドア３０は手動で開放され、オペレータが、充填済み容器２１８を回収できるようにし得る。或いは、ひとたび計量分配マニホールド２３０が引き出されたら、ドア３０は機構によって自動的に開放されて、計量分配された飲料をユーザに受け渡し得る。
【０１５８】
回路２００は、異なる飲料タイプ又はディスペンサーシステムに対応するように修正され得る。
【０１５９】
例えば、飲料が非加圧槽に貯蔵されるか、又は飲料源２１４内の圧力が、ポンプ２２０に到達するには不十分である場合、図９に点線で示すように、別個の飲料圧力システム２５０が使用されてもよい。飲料圧力源２５２は、ポンプ２２０の前に、弁２１４ｂに接続される。圧力システム２５０は、流動線２５２ａを加圧して、飲料源２１４から弁２１４ｂ（開放時）を通してポンプ２２０へと飲料を提供するように構成されている。飲料圧力源は、加圧ガスキャニスター、コンプレッサータンク、アキュムレータタンク又は加圧ガスボトルとし得る。
【０１６０】
飲料圧力源は、不活性ガス、ガス混合物、清浄な空気又は二酸化炭素とし得る。飲料圧力源は、１つ以上の減圧マニホールドを経由して槽に加えられ、槽の圧力及び／又は炭酸化を維持し得るか又は高め得る。
【０１６１】
加圧槽又は非加圧槽は、炭酸清涼飲料用のカーボネータで使用される後混合濃縮物を含み得る。他の飲料源は、約１ｍ３の容量の中型容器（ＩＢＣｓ；Ｉｎｔｅｒｍｅｄｉａｔｅ  Ｂｕｌｋ  Ｃｏｎｔａｉｎｅｒｓ）などの「袋状の（ｂａｇｇｅｄ）」バルクコンテナから、３５ｍ３までに及ぶ容量の、移動できるタンカーまでを含み得る。
【０１６２】
別の方法では、図９の点線に示すように、回路は、飲料コンディショニングシステム２８０を提供するように修正され得る。飲料コンディショニングシステム２８０は、飲料のパラメータ、例えば温度を調整及び制御できるようにする。本例では、飲料コンディショニングシステムは、特定の飲料を、消費に最適な所望の温度で計量分配できるようにする温度コンディショニングシステムである。
【０１６３】
飲料コンディショニングシステム２８０は、通路２２０ｂ（これは通路２２０ａの代替的な通路である）内でポンプ２２０の下流に接続された冷却機器２８２を含む。通路２２０ｂは、弁２２１及び通路２２０ｃを通してディスペンサーヘッド２３０にある飲料注入ポート２６０に流体連通している。
【０１６４】
冷却機器２８２は、冷蔵液体／アイスバンク（ｒｅｆｒｉｇｅｒａｔｅｄ  ｌｉｑｕｉｄ／ｉｃｅ  ｂａｎｋ）内でぐるぐる巻きにされたチューブを含み得る。巻きの数及び長さは、最適な冷却速度及び度合いを保証して、一貫した標的飲料出口温度をもたらすように選択され得る。
【０１６５】
冷却機器は、冷媒冷却コンプレッサーを含み得、冷媒冷却コンプレッサーの冷却速度（ｒａｔｅ）は、異なる計量分配量においても所望の飲料温度を維持するために、制御装置によって動的に制御される。コンディショニング／冷却機器は、ディスペンサー機器の本体の内部又は外部に配置され得る。
【０１６６】
ディスペンサーの動作は、上述したものと同じである。しかしながら、ポンプ２２０を離れた後、飲料は、通路２２０ｂ及び２２０ｄに沿って冷却機器２８２を通過し、その後、弁２２１、通路２２０ｃ、ディスペンサーヘッド２３０及び飲料注入ポート２６０を経由して容器２１８に計量分配される。
【０１６７】
流れセンサー、圧力センサー及び／又は温度センサーは、流動線２２０ｂに沿って展開されて、飲料の流動状態の監視を容易にし得る。上述の全ての管及び流動線は、固定されても又は可撓性であってもよく、及び食品等級のプラスチック又はステンレス鋼などの飲食物環境での使用に承認されている材料から形成される。
【０１６８】
上述の説明は、単一の計量分配点（ディスペンサーヘッド２３０の飲料注入ポート２６０に関する。しかしながら、複数の計量分配点が飲料計量分配装置に組み込まれて、少なくとも１つの制御装置によって制御されることができる。
【０１６９】
装置の好ましい実施形態では、３／８インチの管径が用いられる。しかしながら、より大口径の管（１／２インチ以上）が、より多量の体積流量を促し且つ飲料と管内壁との間の摩擦を低減させるために使用され得ることが理解される。
【０１７０】
図１０Ａ、図１０Ｂ及び図１０Ｃは、本発明の実施形態によるディスペンサーシステム３００を示す。システムは、図示の２つのディスペンサーユニット３１４ａ及び３１４ｂを備えるディスペンサー本体３１２を有する。ディスペンサーは、ディスペンサー３１４ａ及び３１４ｂの下方に位置するドリップトレイ３２０を有する。各ディスペンサーは、容器支持体３１６を有する。支持体３１６は、容器内に飲料を計量分配するために、容器３１８を保持し、位置決めし、且つ支持するように構成されている。図１０Ａには、明瞭にするために１つの容器のみを示す。図１０Ｂ及び図１０Ｃには２つの容器が示されている。図１０Ａ、図１０Ｂ及び図１０Ｃに示されているディスペンサーシステムは、２つのディスペンサーユニット３１４ａ及び３１４ｂを有し、システムは、ディスペンサー本体３１２内に複数のディスペンサーを含んでもよい。
【０１７１】
この例では、支持体３１６は、２つの半円形の支持部材又は把持部３１６ａ、３１６ｂに分けられる。このクラムシェル式の支持設計では、支持部材３１６ａ及び３１６ｂは、ディスペンサーに旋回式に取り付けられ、且つ容器を正しい位置に位置決定して、計量分配している最中、容器を支持するように設計されている。
【０１７２】
図１０Ａ及び図１０Ｂに示すように、容器がディスペンサーに配置又は装入されると、センサー３４２が、容器の存在を検出する。ユーザは、好ましい飲み物を選択する及び／又は支払いをし、それにより、ディスペンサーシステムを作動させる。スクリーン３５０が下げられて、容器へのユーザのアクセスを制限する。スクリーン３５０は、安全ガードの機能を果たし、計量分配している最中にユーザがディスペンサーの構成要素に触れないようにし、且つ容器が破損する場合にユーザを保護する。スクリーンはまた、跳ねよけの機能を果たす。図１０Ｃは、下げられた位置にあるスクリーンを示す。この例では、スクリーン３５０は、障害物を検出する場合に動きを止める電子抵抗安全バーを有する。
【０１７３】
スクリーン３５０が下げられると、支持部材３１６ａ及び３１６ｂは、互いの方に向かう方向に旋回されて、容器の周りで閉鎖する。同時に、支持部材３１６ａ及び３１６ｂが容器の円周を取り囲んで、確実に容器が計量分配するための正しい位置にあるようにする。支持部材は、図１０Ｃに示すように、容器の上縁又はリムを完全に支持する。
【０１７４】
各ディスペンサー３１４ａ、３１４ｂのディスペンサーヘッドマニホールド３３０は、容器３１８の上縁又はリム３１８ａに対して、矢印「Ｆ」に沿って垂直方向に下げたり上げたりするように設計されている。この例では、空気圧システムは、ディスペンサーヘッドアセンブリを容器の頂部リムへと下げるように動かすように使用される。ディスペンサーヘッドアセンブリは、レールに取り付けられ、それにより、ディスペンサーヘッドアセンブリを空気圧又は他の好適な手段によって上げたり下げたりできる。
【０１７５】
ディスペンサーヘッド３３０は封止板３３２を含み、封止板の一区域に封止要素３３４を有する。
【０１７６】
支持部材３１６ａ及び３１６ｂは、容器を支持し且つ容器３１８の上縁又はリム３１８ａを封止板と整列させて、封止要素と効果的なシールを生じさせることができるようにするように設計されている。この例では、シールは、空気圧システムが容器のリムへ約１１６０Ｎのかなりの下向きの力を加えるときに、１．８バールまでの差圧（「逆圧」）を維持するように設計されている。
【０１７７】
封止要素は、支持体３１６及び／又は容器３１８の上縁、内縁又はリム３１８ａに圧接及び／又はクランプされるときに、封止障壁を形成するように設計され且つそのような寸法にされている。この例では、封止要素３３４は、シリコーンやゴムなどの弾性材料で作製され、且つ平らな封止面を有する。
【０１７８】
封止要素は、シールが形成されると、容器の内部と外部との間の圧力差を維持するように設計されている。容器の内部と外部との間に圧力差をもたらすことによって、逆圧を使用して、過度に泡立たせることなく、飲料を容器に迅速に計量分配し得る。
【０１７９】
ひとたび計量分配が完了したら、ディスペンサーヘッドマニホールドが持ち上げられて、容器とのシールを壊す。掴み用支持部材３１６ａ及び３１６ｂが開いて、互いに離れるように旋回し、且つスクリーンが持ち上げられる。
【０１８０】
図１１Ｂ及び図１１Ｂは、図１０Ａのディスペンサーシステムにおける容器支持体の拡大斜視図を示す。
【０１８１】
容器３１８は、ディスペンサーシステム内に直接位置決め又は装入され、並びに支持部材３１６ａ及び３１６ｂは、互いの方へ向かう方向に旋回されて、容器３１８の周りで閉鎖する。支持部材３１６ａ及び３１６ｂは円周を取り囲み、確実に容器がディスペンサーヘッドに対して計量分配するための正しい位置に支持されるようにする。
【０１８２】
この例では、ベース支持体又はインサート３２７は、各容器３１８の真下に位置して追加的な支持をもたらし、且つディスペンサー内での容器の位置決めを支援する。ベース支持体３２７は、ディスペンサー本体に取り外し自在に取り付けられる。ディスペンサーシステムは、各ベース支持体を、異なる寸法を有する別のベース支持体と取り替えることによって、異なるサイズの容器に対応し得ることが理解される。
【０１８３】
例えば、高さの高いベース支持体を挿入することによって、高さの低い容器がディスペンサーシステムにおいて使用され得る。ベース支持体は容器を持ち上げて、容器と封止要素との間に効果的なシールを生じることができるようにする。ベース支持体は、ディスペンサーシステムを、異なる容器寸法の範囲を受け入れるようにカスタマイズ又は適合できるようにする。
【０１８４】
図１２は、ベース支持体又はインサート３２７の拡大図を示す。ベース支持体は、容器支持面３８０を有し、支持面の外縁に沿って、隆起した突出部又はリム３８２が配置されている。リム３８２は、容器を支持面上で位置決定するのを支援する。リムにあるアパーチャ３８４は、過剰な飲料をドレーンするための通路を提供する。
【０１８５】
上述の例では、支持部材３１６ａ及び３１６ｂの位置は固定されている。しかしながら、支持部材３１６ａ及び３１６ｂは、垂直方向に可動とし得（上下に）、それら支持部材が、異なる高さの容器を把持、位置決定及び支持できるようにすることが理解される。
【０１８６】
ベース支持体は、容器を支持できる任意の材料で作製され得ることを理解されたい。本例では、ベース支持体は、プラスチックやガラスなどの透明又は半透明の材料で作製される。ベース支持体は、光がその構造を透過できるようにし、及びディスペンサーシステムによって、異なる色の光がベース支持体を透過するようにして、計量分配動作のステータスを示し得る。例えば、ベース支持体は、計量分配が進行中であることを知らせるために赤く（又は別の色で）光り、及び計量分配が完了したことを知らせるために緑色に（又は別の色で）光り得る。
【０１８７】
図１３Ａは、ディスペンサーシステムにおいて使用するためのノズル６１０を備えるディスペンサーヘッドマニホールド６３０の斜視図を示す。ディスペンサーヘッドマニホールドは封止板６３２を有し、これは、封止板６３２の底面にある半径方向リップに取り付けられている封止要素６３４を有する。
【０１８８】
この取り付け方法は、全くツールを必要とせず、又は他の部分を分解することなく、封止要素６３４を簡単に交換又は洗浄できるようにする。
【０１８９】
ディスペンサーヘッドマニホールド６３０は、容器の上縁又はリムに対して、垂直方向に上げたり下げたりするように設計されている。封止要素６３４は、容器支持体及び／又は容器の上縁、内縁又はリムに圧接及び／又はクランプされると、封止障壁を形成するように設計され且つそのような寸法にされている。この例では、封止要素６３４は、シリコーンやゴムの弾性材料で作製され、且つ平らな封止面６３４ａを有する。
【０１９０】
封止要素６３４は、シールが形成されると、容器の内部と外部との間の圧力差を維持するように設計されている。容器の内部と外部との間に圧力差をもたらすことによって、逆圧を使用して、過度に泡立たせることなく飲料を容器に迅速に計量分配し得る。
【０１９１】
図１３Ｃに最もよく示すように、ディスペンサーヘッドマニホールド６３０には、飲料注入口６３１及びガス注入口／出口接続部６３３用のアパーチャが設けられている。飲料ポート６３１は、ディスペンサーヘッドマニホールド内に位置するノズル６１０と流体連通する。
【０１９２】
ノズル６１０は、図１３Ｅに最もよく示すように、全体的に円錐形を有し、飲料を、飲料注入口から半径方向に突き出る様々ならせん状の方向に向ける複数の湾曲した流路６１１を備える（好ましくは、泡立ちを減少させるように渦巻の動きを生じる）。ノズルから出る飲料は、計量分配されている間、容器６１８の内側面に向けられる。湾曲した流路６１１は、流路出口の方へ向かって横断面が減少する。
【０１９３】
封止要素６３４及びノズル６１０の双方をディスペンサーヘッドマニホールド６３０に組み込むことによって、マニホールド６３０をよりコンパクトにでき、且つ広範囲の容器寸法を使用できるようにする。
【０１９４】
図１３Ｄは、ノズルを通って容器６１８内へと飲料ポートから出てくるときの飲料流体経路（矢印によって示す）を示す。流体の流れは、ノズル６１０にある流路によって、いくつかのらせん状の流れ経路に分けられる。流路の内部の湾曲したプロファイル及び断面積の減少によって、飲料を、水平面に対して＋１５度（カップのリムに向かって）から−４５度（カップのベースに向かって）までの角度範囲で、容器の全内側面に向けられる。
【０１９５】
ノズル６１０の湾曲したプロファイル及び断面積の減少に起因して飲料に作用する遠心力によって、飲料をあちこちに動かすことができるようにし、且つ容器の内部表面積に広がることができるようにする。これは、最小限の乱流で、及びより多量の体積流量で、飲料が可能な限り迅速に容器の底部に達することができるようにする。このプロセスはまた、製品が容器を下に落ちる距離を短くするため、乱流を減少させる。
【０１９６】
ノズルは、封止板によって、異物又は顧客と接触しないように保護されて、ディスペンサーの衛生状態を高める。ノズル及び封止要素はまた、ディスペンサーヘッドマニホールドから取り外されて、簡単に洗浄できるようにしてもよい。
【０１９７】
ノズル設計は、ディップチューブの必要性を回避し、それゆえ、実質的に、バーカウンター上のユニットなどのディスペンサー設計で使用され得る。
【０１９８】
図１４は、本発明の実施形態による飲料ディスペンサーシステム用の圧力及び流れ回路を示す。
【０１９９】
回路５００は、空気供給部５１２及び飲料源５１４を含む。空気供給部５１２は、４つの流動線５１２ａ、５１２ｂ、５１２ｃ及び５１２ｄを有する。流動線５１２ａは、レギュレータ５２２を経由して流体ポンプ５２０に接続される。流動線５１２ａは、流体ポンプ５２０を作動させるように構成されている。
【０２００】
流動線５１２ｂは、レギュレータ５３７及び弁５３９を経由してアクチュエータ５３６に接続される。アクチュエータは、ディスペンサーヘッド５３０の作動及び動きを空気圧制御するように構成されている。
【０２０１】
流動線５１２ｃは、レギュレータ５３５、三方弁５３３及び逆止弁５３１を経由して、ディスペンサーヘッド５３０にある圧力ポート５６２に接続される。圧力ポート５６２に送給される圧縮空気の目的は、容器５１８に逆圧を生じさせて、ガスが飲料溶液から抜け出て、過度の泡又は気泡の形成につながることなく、飲料を容器５１８に迅速に計量分配できるようにすることである。
【０２０２】
この例では、加圧空気は、ユニット操作のための（６バールの圧力）空気エネルギー源として使用される。しかしながら、機械、電気及び／又は液圧システムもこの機能を果たし得ることが理解される。
【０２０３】
流動線５１２ｄは、レギュレータ５３７及び弁５９１を経由して、把持システム５９０内にあるアクチュエータに接続される。把持システム５９０は、飲料を計量分配している間、容器５１８を把持及び支持するように構成されている。
【０２０４】
流動線５１２ａ〜５１２ｄは、「環状幹線」に接続され、それにより、各経路が、動作するために必要な空気圧を等しく引くことができるようにする。回路には圧力解放弁が含まれて、空気圧システムを安全に減圧する手段を提供する。
【０２０５】
加圧された樽などの飲料源５１４は、流動線５１４ａに接続される。この例では、飲料源は、１１ガロンの加圧ビール樽である。流動線５１４ａは、弁５１４ｂを経由してポンプ５２０に接続される。ポンプ５２０は、ディスペンサーヘッド５３０にある飲料ポート５６０を経由して、飲料を飲料源５１４から容器５１８にポンプ作用で注ぐように構成されている。
【０２０６】
使用中、ユーザは、制御装置５０７に接続されたディスプレイ５０５上で飲料を選択する。ユーザが、容器支持体（図示せず）に容器を挿入し得るか、又は機器が、自動的に容器を容器支持体（図示せず）に放出する。制御装置５０７は、モータ５０９を作動させて、跳ねよけを下げるか、又は安全ドア５１１を閉める。
【０２０７】
計量分配サイクルの開始前、制御装置５０７は、安全システム５４６のステータスをチェックし、これは、容器５１８が存在することを確認するために容器センサー５４６ａをチェックすること、及びスクリーン／跳ねよけが閉鎖されているか又は跳ねよけが適所にあることを確認するために、スクリーン／跳ねよけの安全スイッチ５４６ｂのステータスをチェックすることを含む。いずれかのセンサーが、否を示す値を報告する場合、計量分配サイクルは停止して、ユーザがエラーを直すのを待つ。
【０２０８】
安全システムから正の信号があると、制御装置５０７は弁５９１を開放して、把持システム５９０を起動し、掴み用支持体を、容器を掴むように動かす。制御装置５０７は弁５３９を開いて、アクチュエータ５３６を起動し、ディスペンサーヘッド５３０を動かす。ディスペンサーヘッド５３０は容器５１８の方へ下げられて、マニホールドの封止板及び封止要素５３２に容器５１８との封止障壁を形成させる。
【０２０９】
ひとたびシールが形成されたら、制御装置は弁５３３を作動させて、空気供給部５１２とディスペンサーマニホールドにある出口との間の通路を開放する。その後、加圧空気が容器を満たす。弁５３３は、電動式空気弁である。
【０２１０】
制御装置５０７は、空気注入が停止される圧力を制御する。圧力レベルは、電子的に又は手動で制御されるレギュレータによって、調整可能に設定される。圧力は、０．４バールから、５バールを上回る可能性がある容器の最大圧力定格まで及ぶ。
【０２１１】
ディスペンサーヘッド５３０内に位置する圧力センサー（図示せず）が、容器５１８の内部圧力を監視して、加えられた逆圧をシールが保持していることを確認する。予め決められた期間内で必要な逆圧を高めることに失敗する場合には、制御装置は計量分配サイクルを中止する。逆圧マニホールドの近くに位置するデジタルディスプレイは、容器５１８における逆圧のリアルタイムの圧力レベルを提供する。
【０２１２】
容器５１８が必要な逆圧を首尾よく保持する場合、弁５２１を開放し且つポンプ５２０を作動させるための信号が送信される。飲料は、圧縮化キーにおけるガスの圧力の結果及び／又は液体輸送ポンプ５２０によって、飲料源から計量分配ヘッドへ運ばれる。システムにおける流動線の管径が、高圧源（樽）から低圧容器へ流れることができるように設計され得るとき、ポンプ５２０は任意選択的な特徴である。
【０２１３】
飲料は、飲料源５１４から、ＦＯＢ（Ｆｏａｍ  Ｏｎ  Ｂｅｅｒ）検出器５１３を通って、流動線５２０ａを通って冷却機器５８２までポンプ作用で送給される。飲料は、通路５２０ｄに沿って流れ、その後、弁５２１、通路５２０ｃ、ディスペンサーヘッド５３０及び飲料注入ポート５６０を経由して、容器５１８へ計量分配される。
【０２１４】
ポンプ５２０は、９０ｃｃ／ストロークの空気ポンプである。しかしながら、異なる容量のポンプが用いられてもよいことが理解される。一例として、空気式、液圧式又は電気式の、ストローク当たり５６８ｃｃ（１パイント）以上のポンプが使用され得る。
【０２１５】
冷却機器５８２は、飲料を、消費するのに最適な所望の温度に冷却するように設計されている。典型的な例では、冷却機器は、冷蔵液体／アイスバンク内でぐるぐる巻きにされたチューブを含む。冷却機器における流動線は、好ましくは、真空絶縁され、且つ能動的に冷却される線である。巻きの数及び長さは、一貫した標的飲料出口温度をもたらすように、最適な冷却速度及び度合いを保証するように選択される。その代わりに、又はそれに加えて、冷却プロセスは、制御装置５０７によって、異なる計量分配量において所望の飲料温度を維持するように、動的に制御され得る。冷却機器は、ディスペンサー機器の本体の内部又は外部に配置され得る。
【０２１６】
流れセンサー、圧力センサー及び／又は温度センサーは、流動線５２０ａ、５２０ｃ及び／又は５２０ｄに沿って展開されて、飲料の流動状態の監視を容易にすることができる。上述の全ての管及び流動線は、固定されても、又は可撓性であってもよく、及び食品等級のプラスチック又はステンレス鋼など、飲食物の環境での使用に承認されている材料から形成される。
【０２１７】
ポンプ５２０は、制御装置が弁５２１を閉鎖して、予めプログラムされた経過時間後にポンプ５２０を動作停止させるまで、飲料をポンプ作用で送給し続ける。その代わりに、又はそれに加えて、流量計５１５が、流動線５１４ａ、５２０ａ、５２０ｃ又はディスペンサーヘッド５３０に設けられて、必要量の飲料が計量分配されたかを測定するか、又はセンサーが、容器内の飲料レベルが必要なレベルに達したかを認識するようにする。
【０２１８】
飲料をポンプ作用で送給している間、加圧容器に飲料を加えることによって、容器５１８の内部圧力を高める。三方弁５３３は、排出の圧力閾値に設定される。容器内の内部圧力レベルがこの圧力閾値を上回る場合、容器からの圧縮空気は、所望の内部圧力レベルに再び達するまで、弁５３３によって、圧力ポート５６２を通って排出通路５３３ｂに沿って放出される。
【０２１９】
容器５１８が満たされると、容器内の加圧空気の量が飲料によって入れ換えられ、且つ加圧空気が通路５３３ｂを通して排出される。
【０２２０】
飲料は、計量分配サイクルの期間中、容器に迅速に計量分配される。飲料に炭酸ガスを入れられる場合、計量分配している最中、容器内の逆圧が、炭酸飲料内に溶解若しくは混合されたガスが溶液から実質的に出ないようにするため、泡立ちは軽減されるか又は最小限にされる。
【０２２１】
ひとたび飲料の計量分配相が完了したら、３方出口値５３３は、制御装置によって排出通路５３３ｂを開放するように切り替えられる。加圧空気によってもたらされた逆圧は、容器内のいずれの過剰な飲料とも一緒に、通路５３３ｂを通って廃棄物容器へ排出される。それに続いて又はそれと同時に、コントローラはアクチュエータ５３６を作動させて、計量分配マニホールドを容器５１８から離れるように持ち上げ、封止板と容器との間の封止障壁を壊す。コントローラは把持システムを作動させて、把持部を開放する。
【０２２２】
ひとたび計量分配マニホールド５３０が引き出されたら、安全スクリーン又は跳ねよけ４３０がモータ５０９によって自動的に開放され得、ユーザが、計量分配された飲料にアクセス可能となる。或いは、ひとたび計量分配マニホールド５３０が引き出されたら、安全スクリーン又は跳ねよけ４３０が手動で開放され、オペレータが、充填済み容器５１８を回収できるようにし得る。
【０２２３】
回路５００は、異なる飲料タイプ又はディスペンサーシステムに対応するように修正され得る。
【０２２４】
例えば、飲料が非加圧槽内に貯蔵される場合、又は飲料源５１４内の圧力が、ポンプ５２０に達するには不十分である場合、図１４の点線に示すように、別個の飲料圧力システム５５０が使用され得る。飲料圧力源５５２は、ポンプ５２０の前に弁５１４ｂに接続される。圧力システム５５０は、流動線５５２ａを加圧して、飲料源５１４から弁５１４ｂ（開放時）を通ってポンプ５２０へ飲料を提供するように構成されている。飲料圧力源は、加圧ガスキャニスター、コンプレッサータンク、アキュムレータタンク又は加圧ガスボトルとし得る。
【０２２５】
この例では、飲料圧力源は、二酸化炭素、又は二酸化炭素と窒素の混合物とし得る。しかし、その代わりに、飲料圧力源は、任意の不活性ガス、ガス混合物及び／又は清浄な空気としてもよい。
【０２２６】
飲料圧力源は、１つ以上の減圧マニホールドを経由して槽に加えられ、槽の圧力及び／又は炭酸化を維持し得るか又は高め得る。
【０２２７】
加圧槽又は非加圧槽は、炭酸清涼飲料用のカーボネータと一緒に使用される後混合濃縮物を含み得る。他の飲料源は、約１ｍ３の容量の中型容器（ＩＢＣｓ）などの「袋状の」バルクコンテナから、３５ｍ３までに及ぶ容量の、移動できるタンカーまでを含み得る。
【０２２８】
図１５Ａ及び図１５Ｂは、ディスペンサーアセンブリ７００を示す。アセンブリはディスペンサー本体７１２を有する。ディスペンサー７００は容器ベース支持体７１６を有する。支持体７１６は、容器内へと圧力下で飲料を計量分配するために、容器７１８を保持及び支持するように構成されている。図１５では、１つのみのディスペンサー７１４が示されているが、システムは、ディスペンサー本体７１２内に複数のディスペンサーを含んでもよい。
【０２２９】
ディスペンサー本体７１２は、アセンブリ７００に対して容器を挿入及び取り出しできるようにする開口部７２０ｂを有する。この例では、ドアがディスペンサー本体７１２に旋回式に取り付けられる。ドア７２０は窓７２０ａを有して、計量分配している最中、容器への充填を監視できるようにし、且つユーザを保護できるようにする。
【０２３０】
アセンブリ７００は、容器７１８の上縁又はリム７１８ａに対して、矢印「Ｆ」に沿って垂直方向に上げたり下げたりするように設計されているディスペンサーヘッドマニホールド７３０を有する。ディスペンサーヘッド７３０は封止板７３２を含み、これは、封止板７３２の一区域に封止要素７３４を有する。
【０２３１】
ディスペンサー７００は、任意選択的に、容器をディスペンサーヘッドと面一に位置決めする若しくは整列させるように構成されたリブ又は支持体を含み得る。
【０２３２】
ディスペンサーヘッドマニホールド７３０は、クランプ機構によって下げたり上げたりされる。この例では、カムレバー７４４が、ディスペンサー本体７１２に旋回式に取り付けられる。図１５Ａに示す第１のレバー位置では、レバーは、ディスペンサーヘッドマニホールド７３０に作用していない。このロック解除位置では、容器は、アセンブリに挿入され且つそこから取り外され得る。レバーが、図１５Ａに矢印Ｘとして示される方向に、第２のレバー位置まで旋回されると、カムレバーは、ディスペンサーヘッドマニホールド７３０に作用し、ディスペンサーヘッドマニホールドを下向きに動かす。このロック位置では、ディスペンサーヘッドマニホールド７３０は容器上へと下げられ、且つ封止要素７３４は容器とシールを形成する。
【０２３３】
封止要素７３４は、シールが形成されると、容器の内部と外部との間の圧力差を維持するように設計されている。容器の内部と外部との間に圧力差をもたらすことによって、逆圧を使用して、過度に泡立たせることなく飲料を容器に迅速に計量分配し得る。
【０２３４】
ディスペンサーヘッドマニホールド７３０は、飲料ポート７３１及びガス注入口／出口接続部用のアパーチャが設けられている。飲料ポート６３１は、ディスペンサーヘッドマニホールド内に位置するノズル７１０と流体連通している。ノズル７１０は、図１３Ａ〜１３Ｅで説明するノズル６１０と同様であるため、図１３Ａ〜１３Ｅの説明から理解される。
【０２３５】
上述の例では、ディスペンサーアセンブリ７００は、容器ベース支持体を有する。しかしながら、その代わりに、又はそれに加えて、アセンブリは、容器の口、リップ、リム及び／又は側面を支持するために、少なくとも１つの支持体を含み得る。
【０２３６】
本明細書を通して、文脈上他の意味が要求される場合を除き、用語「含む（ｃｏｍｐｒｉｓｅ）」若しくは「含む（ｉｎｃｌｕｄｅ）」、又は「含む（ｃｏｍｐｒｉｓｅｓ）」若しくは「含む（ｃｏｍｐｒｉｓｉｎｇ）」、「含む（ｉｎｃｌｕｄｅｓ）」若しくは「含む（ｉｎｃｌｕｄｉｎｇ）」などの変形例は、定まった完全体（ｉｎｔｅｇｅｒ）若しくは完全体の群を含むことをほのめかすが、任意の他の完全体若しくは完全体の群は除外しないと理解される。
【０２３７】
さらに、「下方（ｌｏｗｅｒ）」、「上方（ｕｐｐｅｒ）」、「上（ｕｐ）」、「下（ｄｏｗｎ）」、上（ａｂｏｖｅ）、下（ｂｅｌｏｗ）などの関連語は、本明細書では、添付図面に適用されるような方向及び場所を示すために使用され、且つ本発明及びその特徴を特定の配置構成又は向きに限定するものであるとはみなされない。同様に、用語「出口（ｏｕｔｌｅｔ）」又は「出口（ｅｘｉｔ）」は、開口部であるとみなされ、これは、流体が動く方向に依存して、「注入口（ｉｎｌｅｔ）」又は「入口（ｅｎｔｒｙ）」の機能も果たし得る、及びその逆も同様である。
【０２３８】
上述の例では、装置は、任意選択的な特徴である、飲料注入ポートに接続されるディップチューブを有する。ディップチューブは、様々な長さで、直線及び／又は容器の側面に対して角度がつけられているとし得る。ディップチューブの利点は、飲料を計量分配している間、容器内での乱流を減少させることである。
【０２３９】
上述の例は、使い捨てのプラスチック製カップに計量分配する飲料システムを説明している。しかしながら、飲料システムはまた、ボトル、マグ、カップ、ジョッキ、グラス、ビーカー、タンブラー又はタンカードを含む、任意のタイプの飲料用容器内に計量分配するように使用され得る。容器は、硬質若しくは軟質プラスチック、ガラス、セラミック、厚紙、紙、蝋紙又は発泡体を含む材料の範囲から作製され得る。容器は、使い捨てでも、又は再利用可能でもよい。
【０２４０】
しかしながら、飲料が、ディップチューブを用いずに、又はディップチューブの代わりにノズルを使用することによって、容器内に計量分配され得る。これらの配置構成は、ディスペンサーヘッドマニホールドの必要な垂直方向の移動を減少させ得る。これは、計量分配マニホールドの移動距離を減少させ、それにより、計量分配サイクル時間を短くするという利点がある。
【０２４１】
本発明の実施形態では、ディスペンサーは、支払いシステムを含み得る。
【０２４２】
制御装置は、計量分配を行うことができるようにする前に支払いを受け且つ支払いに応じるか、或いは、支払いが行われるまで飲料を放出しない機器に接続され得る。ユーザからの指示は、必要な飲料数又は求められる特定の計量分配カスタマイゼーション（例えば温度／「泡」の高さ）を含み得る。
【０２４３】
ディスペンサー装置によってユーザに出される指示は、支払い方法、又は飲料用容器を受け渡す方法の指示を含み得る。支払いは、現金、ペイメントカード又は支払い「アプリ」とし得る。
【０２４４】
上述の例では、封止板にある圧力ポートは２つの機能を有する。圧力ポートは、容器内へ空気をポンプ作用で送給して逆圧をもたらすための入口として使用される。圧力ポートはまた、ガス及び廃棄物用の排出出口として使用される。代替的な設計では、封止箇所は、これらの機能のための２つの別個のポートを有し得る。
【０２４５】
本発明は、少なくとも１つのディスペンサーユニットを含む、容器内に飲料を計量分配するためのシステムを提供する。ディスペンサーユニットは、容器及びディスペンサーヘッドを支持するように構成された少なくとも１つの支持部材を含む。ディスペンサーヘッドは、飲料出口、少なくとも１つの圧力ポート、及び容器の少なくとも一部分とディスペンサーヘッドとの間に封止障壁を形成するように構成されている可動封止部材を含む。
【０２４６】
容器の少なくとも一部分とディスペンサーヘッドとの間に封止障壁を形成するように構成されている可動封止部材を含むシステムを提供することによって、容器の位置は、シールを形成し、飲料を計量分配し、且つシールを放出する間、変化しない。これは、容器内での飲料の攪拌を防止又は軽減し得、より迅速な飲料沈下時間を可能にするか、又は過度な泡立ちを軽減する。
【０２４７】
このシステムはまた、容器の動きを軽減し、これにより、ひとたび計量分配したら、飲料がこぼれるのを回避し得る。
【０２４８】
本発明の上述の説明は、図示及び説明のために提示され、且つ徹底的であることも、又は開示した正確な形態に本発明を限定することも意図していない。説明した実施形態は、本発明の原理及びその実際的応用を最良に説明するために、選択されて説明されており、それにより、当業者が、考えられる特定の使用に好適であるため、様々な実施形態において及び様々な修正例と一緒に、本発明を最良に利用できるようにした。それゆえ、さらなる修正例又は改良例は、本発明で意図される範囲から逸脱することなく、組み込まれ得る。
【図１】
2021515732.tif 000003
【図２Ａ】
2021515732.tif 000004
【図２Ｂ】
2021515732.tif 000005
【図２Ｃ】
2021515732.tif 000006
【図２Ｄ】
2021515732.tif 000007
【図２Ｅ】
2021515732.tif 000008
【図２Ｆ】
2021515732.tif 000009
【図３Ａ】
2021515732.tif 000010
【図３Ｂ】
2021515732.tif 000011
【図３Ｃ】
2021515732.tif 000012
【図４Ａ】
2021515732.tif 000013
【図４Ｂ】
2021515732.tif 000014
【図５Ａ】
2021515732.tif 000015
【図５Ｂ】
2021515732.tif 000016
【図５Ｃ】
2021515732.tif 000017
【図６Ａ】
2021515732.tif 000018
【図６Ｂ】
2021515732.tif 000019
【図６Ｃ】
2021515732.tif 000020
【図７Ａ】
2021515732.tif 000021
【図７Ｂ】
2021515732.tif 000022
【図７Ｃ】
2021515732.tif 000023
【図７Ｄ】
2021515732.tif 000024
【図７Ｅ】
2021515732.tif 000025
【図７Ｆ】
2021515732.tif 000026
【図７Ｇ】
2021515732.tif 000027
【図７Ｈ】
2021515732.tif 000028
【図７Ｉ】
2021515732.tif 000029
【図８Ａ】
2021515732.tif 000030
【図８Ｂ】
2021515732.tif 000031
【図９】
2021515732.tif 000032
【図１０Ａ】
2021515732.tif 000033
【図１０Ｂ】
2021515732.tif 000034
【図１０Ｃ】
2021515732.tif 000035
【図１１Ａ】
2021515732.tif 000036
【図１１Ｂ】
2021515732.tif 000037
【図１２】
2021515732.tif 000038
【図１３Ａ】
2021515732.tif 000039
【図１３Ｂ】
2021515732.tif 000040
【図１３Ｃ】
2021515732.tif 000041
【図１３Ｄ】
2021515732.tif 000042
【図１３Ｅ】
2021515732.tif 000043
【図１４】
2021515732.tif 000044
【図１５Ａ】
2021515732.tif 000045
【図１５Ｂ】
2021515732.tif 000046
【国際調査報告】
2021515732.tif 000047
2021515732.tif 000048
2021515732.tif 000049
2021515732.tif 000050
2021515732.tif 000051